(57)【特許請求の範囲】
【請求項１】
ワイヤレス通信システムにおいてマシンタイプ通信（ＭＴＣ）を容易にするための方法であって、
ＭＴＣデバイスで、前記ＭＴＣデバイスがウェイクアップしたとき、システム情報構成を示すためのカウンタを受信することと、ここで、前記カウンタは、前記システム情報構成を反映するために、１つまたは複数のビットを備え、前記システム情報構成が変更になる度に、前記カウンタは増分され、
前記ＭＴＣデバイスで、前記受信されたカウンタが、前のウェイクアップのときに受信されたカウンタとは異なるとき、前記システム情報構成における変更を決定することと、ここで、前記システム情報構成における変更を決定することは、
前記ＭＴＣデバイスで、前記受信されたカウンタに含まれる複数のビットと、システム情報構成のセットとの間のマッピングを識別することと、ここで、前記セットは、前記カウンタによって示された前記システム情報構成を備え、
前記ＭＴＣデバイスで、前記受信されたカウンタの前記複数のビットと、システム情報構成の前記セットとの間の前記識別されたマッピングに少なくとも部分的に基づいて、システム情報構成の前記セットから前記システム情報構成を決定することと、を備え、
を備える、方法。
【請求項２】
前記システム情報構成を決定することは、前記受信されたカウンタが、増分されたカウンタであると決定することを備える、請求項１に記載の方法。
【請求項３】
前記システム情報構成を決定することは、
前記カウンタに基づいて変更された前記システム情報構成を決定することと、
前記カウンタに基づいて更新されたシステム情報を識別することと、
を備える、請求項１に記載の方法。
【請求項４】
前記カウンタは、１６個の異なるシステム情報構成にマッピングする４ビットを備える、請求項１に記載の方法。
【請求項５】
前記カウンタは、ページングチャネルを介して受信される、請求項１に記載の方法。
【請求項６】
前記カウンタは、物理ブロードキャストチャネルを介して受信される、請求項１に記載の方法。
【請求項７】
前記カウンタは、ＭＴＣ物理ブロードキャストチャネルを介して受信される、請求項１に記載の方法。
【請求項８】
前記カウンタは、システム情報ブロック（ＳＩＢ）において受信される、請求項１に記載の方法。
【請求項９】
前記ＳＩＢは、ＭＴＣ固有ＳＩＢを備える、請求項８に記載の方法。
【請求項１０】
ワイヤレス通信システムにおいてマシンタイプ通信（ＭＴＣ）を容易にするための装置であって、
ＭＴＣデバイスで、前記ＭＴＣデバイスがウェイクアップしたとき、システム情報構成を示すためのカウンタを受信するための手段と、ここで、前記カウンタは、前記システム情報構成を反映するために、１つまたは複数のビットを備え、前記システム情報構成が変更になる度に、前記カウンタは増分され、
前記ＭＴＣデバイスで、前記受信されたカウンタが、前のウェイクアップのときに受信されたカウンタとは異なるとき、前記システム情報構成における変更を決定するための手段と、を備え、
前記システム情報構成における変更を決定するための手段は、
前記ＭＴＣデバイスで、前記受信されたカウンタに含まれる複数のビットと、システム情報構成のセットとの間のマッピングを識別するための手段と、ここで、前記セットは、前記カウンタによって示された前記システム情報構成を備え、
前記ＭＴＣデバイスで、前記受信されたカウンタの前記複数のビットと、システム情報構成の前記セットとの間の前記識別されたマッピングに少なくとも部分的に基づいて、システム情報構成の前記セットから前記システム情報構成を決定するための手段と、
を備える、装置。
【請求項１１】
前記システム情報構成を決定するための前記手段は、前記受信されたカウンタが増分されたカウンタであると決定するように構成される、請求項１０に記載の装置。
【請求項１２】
前記システム情報構成を決定するための前記手段は、
前記カウンタに基づいて変更された前記システム情報構成を決定することと、
前記カウンタに基づいて更新されたシステム情報を識別することと、
を行うように構成される、請求項１０に記載の装置。
【請求項１３】
前記カウンタは、１６個の異なるシステム情報構成にマッピングする４ビットを備える、請求項１０に記載の装置。
【請求項１４】
前記カウンタを受信するための前記手段は、ページングチャネルを介して前記カウンタを受信するように構成される、請求項１０に記載の装置。
【請求項１５】
前記カウンタを受信するための前記手段は、物理ブロードキャストチャネルを介して前記カウンタを受信するように構成される、請求項１０に記載の装置。
【請求項１６】
前記カウンタを受信するための前記手段は、ＭＴＣ物理ブロードキャストチャネルを介して前記カウンタを受信するように構成される、請求項１０に記載の装置。
【請求項１７】
前記カウンタを受信するための前記手段は、システム情報ブロック（ＳＩＢ）において前記カウンタを受信するように構成される、請求項１０に記載の装置。
【請求項１８】
前記カウンタを受信するための前記手段は、ＭＴＣ固有ＳＩＢにおいて前記カウンタを受信するように構成される、請求項１０に記載の装置。
【請求項１９】
ワイヤレス通信システムにおいてマシンタイプ通信（ＭＴＣ）を容易にするための装置であって、
プロセッサと、
前記プロセッサと電子通信するメモリと、
前記メモリに記憶された命令と、を備え、前記命令は、
ＭＴＣデバイスで、前記ＭＴＣデバイスがウェイクアップしたとき、システム情報構成を示すためのカウンタを受信することと、ここで、前記カウンタは、前記システム情報構成を反映するために、１つまたは複数のビットを備え、前記システム情報構成が変更になる度に、前記カウンタは増分され、
前記ＭＴＣデバイスで、前記受信されたカウンタが、前のウェイクアップのときに受信されたカウンタとは異なるとき、前記システム情報構成における変更を決定することと、ここで、前記システム情報構成における変更を決定することは、
前記ＭＴＣデバイスで、前記受信されたカウンタに含まれる複数のビットと、システム情報構成のセットとの間のマッピングを識別することと、ここで、前記セットは、前記カウンタによって示された前記システム情報構成を備え、
前記ＭＴＣデバイスで、前記受信されたカウンタの前記複数のビットと、システム情報構成の前記セットとの間の前記識別されたマッピングに少なくとも部分的に基づいて、システム情報構成の前記セットから前記システム情報構成を決定することと、を備え、
を行うように前記プロセッサによって実行可能である、装置。
【請求項２０】
前記命令は、
前記受信されたカウンタが増分されたカウンタであると決定することを行うように前記プロセッサによって実行可能である、請求項１９に記載の装置。
【請求項２１】
前記命令は、
前記カウンタに基づいて変更された前記システム情報構成を決定することと、
前記カウンタに基づいて更新されたシステム情報を識別することと、
を行うように前記プロセッサによって実行可能である、請求項１９に記載の装置。
【請求項２２】
前記命令は、
ページングチャネルを介して前記カウンタを受信することを行うように前記プロセッサによって実行可能である、請求項１９に記載の装置。
【請求項２３】
前記命令は、
物理ブロードキャストチャネルを介して前記カウンタを受信することを行うように前記プロセッサによって実行可能である、請求項１９に記載の装置。
【請求項２４】
前記命令は、
ＭＴＣ物理ブロードキャストチャネルを介して前記カウンタを受信することを行うように前記プロセッサによって実行可能である、請求項１９に記載の装置。
【請求項２５】
ワイヤレス通信システムにおいてマシンタイプ通信（ＭＴＣ）を容易にするためのコンピュータプログラムであって、
ＭＴＣデバイスで、前記ＭＴＣデバイスがウェイクアップしたとき、システム情報構成を示すためのカウンタを受信することと、ここで、前記カウンタは、前記システム情報構成を反映するために、１つまたは複数のビットを備え、前記システム情報構成が変更になる度に、前記カウンタは増分され、
前記ＭＴＣデバイスで、前記受信されたカウンタが、前のウェイクアップのときに受信されたカウンタとは異なるとき、前記システム情報構成における変更を決定することと、ここで、前記システム情報構成における変更を決定することは、
前記ＭＴＣデバイスで、前記受信されたカウンタに含まれる複数のビットと、システム情報構成のセットとの間のマッピングを識別することと、ここで、前記セットは、前記システム情報構成を備え、
前記ＭＴＣデバイスで、前記受信されたカウンタの前記複数のビットと、システム情報構成の前記セットとの間の前記識別されたマッピングに少なくとも部分的に基づいて、システム情報構成の前記セットから前記システム情報構成を決定することと、を備え、
を行うようにプロセッサによって実行可能な命令を備える、コンピュータプログラム。
【請求項２６】
前記命令は、
前記受信されたカウンタが増分されたカウンタであると決定することを行うように前記プロセッサによって実行可能である、請求項２５に記載のコンピュータプログラム。
【発明の詳細な説明】
【優先権の主張】
【０００１】
相互参照
[0001]本特許出願は、その各々が本出願の譲受人に譲渡され、参照により明白に本明細書に組み込まれる、２０１４年１月８日に出願された「Ｂｒｏａｄｃａｓｔ  ａｎｄ  Ｐａｇｉｎｇ  Ｃｈａｎｎｅｌ  ｆｏｒ  Ｍａｃｈｉｎｅ  Ｔｙｐｅ  Ｃｏｍｍｕｎｉｃａｔｉｏｎ」と題する同時係属米国特許出願第１４／１５０，２７０号、および２０１３年１月１４日に出願された「Ｍｅｔｈｏｄｓ，  Ｓｙｓｔｅｍｓ，  ａｎｄ  Ｄｅｖｉｃｅｓ  ｆｏｒ  Ｂｒｏａｄｃａｓｔ  ａｎｄ  Ｐａｇｉｎｇ  Ｃｈａｎｎｅｌｓ  ｆｏｒ  Ｍａｃｈｉｎｅ  Ｔｙｐｅ  Ｃｏｍｍｕｎｉｃａｔｉｏｎ」と題する同時係属米国仮特許出願第６１／７５２，３３９号の優先権の利益を主張する。
【背景技術】
【０００２】
[0002]マシンツーマシン（Ｍ２Ｍ）通信またはマシンタイプ通信（ＭＴＣ）は、自動化されたデバイスが人の介在なしに互いに通信することを可能にするデータ通信技術を指すために使用され得る用語である。たとえば、Ｍ２Ｍおよび／またはＭＴＣは、情報を測定または取り込むためにセンサーまたはメーターを統合し、中央サーバまたはアプリケーションへその情報を中継する、デバイスからの通信を指すことがある。この情況において使用されるデバイスは、Ｍ２Ｍデバイス、ＭＴＣデバイス、および／またはＭＴＣユーザ機器（ＵＥ）と呼ばれることがある。
【０００３】
[0003]ＭＴＣデバイスは、たとえば、情報を収集するため、または、マシンの自動化された挙動を可能にするために、いくつかの異なる適用例において使用され得る。ＭＴＣデバイスのための適用例の例としては、スマートメータリング、インベントリ監視、水位監視、機器監視、ヘルスケア監視、野生生物監視、天候および地質学的事象監視、フリート管理および追跡、リモートセキュリティ検知、物理的アクセス制御、ならびにトランザクションベースのビジネスの課金がある。自動車、セキュリティ、ヘルスケア、およびフリート管理などの業界が、生産性増大、コスト管理、および／または顧客サービス拡大のために、ＭＴＣデバイスを採用するにつれて、ＭＴＣデバイスの市場は、急速に成長することが予想される。
【０００４】
[0004]ＭＴＣデバイスは、様々なワイヤードおよび／またはワイヤレス通信技術を使用することができる。たとえば、ＭＴＣデバイスは、様々なワイヤレスセルラー技術および／または様々なワイヤレスネットワーキング技術（たとえば、ＩＥＥＥ８０２．１１（Ｗｉ−Ｆｉ（登録商標））、ＩＥＥＥ８０２．１６（ＷｉＭＡＸ（登録商標））など）を介して、ネットワークと通信することができる。ＭＴＣデバイスはまた、Ｂｌｕｅｔｏｏｔｈ（登録商標）、ＺｉｇＢｅｅ（登録商標）、および／または他のアドホックもしくはメッシュネットワーク技術など、様々なピアツーピア技術を使用して、互いに通信することもできる。世界中の多元接続ワイヤレスネットワークの拡大は、ＭＴＣ通信が行われることをはるかにより容易にしており、情報がマシン間で通信されるために必要な電力および時間の量を低減している。これらのネットワークはまた、製品が販売されることに関して、消費者と生産者との間の数々の新しいビジネス機会と接続とを可能にする。
【０００５】
[0005]場合によっては、ＭＴＣデバイスは、地階の場合などのように、ワイヤレス通信を困難にするロケーションに配置されることがある。場合によっては、カバレージ拡張の必要があり得る。送信時間間隔（ＴＴＩ）バンドリングは、あるカバレージ拡張を達成するために採用されている。しかしながら、物理ブロードキャストチャネルおよびシステム情報送信など、ブロードキャストチャネルもまた、カバレージ拡張を必要とすることがある。追加として、一般にブロードキャストチャネルを介して送信されるシステム情報の多くは、ＭＴＣ動作のために必要とされないことがある。したがって、ＭＴＣデバイスが受信される不必要な情報の量を制限することを可能にする、ＭＴＣ物理ブロードキャストチャネルおよび／またはＭＴＣ固有システム情報ブロックを提供することが、有益であり得る。また、ＭＴＣデバイスが、システム情報における変更を識別するため、および、あるシステム情報を復号するかどうかを決定するために、送信を予期および復号する際の効率を高めることも、有益であり得る。
【発明の概要】
【０００６】
[0006]説明される特徴は、一般に、ワイヤレス通信システムにおいてマシンタイプ通信を容易にするための、１つまたは複数のシステム、方法、およびデバイスに関する。たとえば、技法は、地階（basement）にロケートされたものなど、リンクバジェットが制限された（link budget-limited）ＭＴＣデバイスをサポートするために利用され得る。いくつかの実施形態では、ＭＴＣ物理ブロードキャストチャネルが、マシンタイプ通信を容易にするために利用され得る。ＭＴＣ物理ブロードキャストチャネルは、通常の（たとえば、レガシー）物理ブロードキャストチャネルとは異なる１つまたは複数のサブフレームを介して送信され得る。ＭＴＣ物理ブロードキャストチャネルのためのペイロードは、場合によっては、レガシー物理ブロードキャストチャネルに対して、低減され得る。ＭＴＣ物理ブロードキャストチャネルはまた、ページングの存在を示すため、および／または、システム情報における変更を示すためにも利用され得る。
【０００７】
[0007]いくつかの実施形態では、ワイヤレス通信システムにおいてマシンタイプ通信を容易にするための方法は、システム情報構成またはシステム情報構成における変更を示すためのカウンタを受信することと、受信されたカウンタを利用して、システム情報構成またはシステム情報構成における変更を決定することとを含む。カウンタは、システム情報構成またはシステム情報構成における変更を反映するために、１つまたは複数のビットを含み得る。
【０００８】
[0008]いくつかの実施形態では、ワイヤレス通信システムにおいてマシンタイプ通信を容易にするための装置は、システム情報構成またはシステム情報構成における変更を示すためのカウンタを受信するための手段と、受信されたカウンタを利用して、システム情報構成またはシステム情報構成における変更を決定するための手段とを含む。カウンタは、システム情報構成またはシステム情報構成における変更を反映するために、１つまたは複数のビットを含み得る。
【０００９】
[0009]いくつかの実施形態では、ワイヤレス通信システムにおいてマシンタイプ通信を容易にするための装置は、プロセッサと、プロセッサと電子通信しているメモリと、メモリに記憶された命令とを含む。命令は、システム情報構成またはシステム情報構成における変更を示すためのカウンタを受信することと、受信されたカウンタを利用して、システム情報構成またはシステム情報構成における変更を決定することとを行うように、プロセッサによって実行可能であり得る。カウンタは、システム情報構成またはシステム情報構成における変更を反映するために、１つまたは複数のビットを含み得る。
【００１０】
[0010]いくつかの実施形態では、ワイヤレス通信システムにおいてマシンタイプ通信を容易にするためのコンピュータプログラム製品は、システム情報構成またはシステム情報構成における変更を示すためのカウンタを受信することと、受信されたカウンタを利用して、システム情報構成またはシステム情報構成における変更を決定することとを行うように、プロセッサによって実行可能な命令を記憶する非一時的コンピュータ可読媒体を含む。カウンタは、システム情報構成またはシステム情報構成における変更を反映するために、１つまたは複数のビットを含み得る。
【００１１】
[0011]方法、装置、および／またはコンピュータプログラム製品のいくつかの例では、システム情報構成における変更を決定することは、受信されたカウンタが前のウェイクアップとは異なると決定することを含み得る。これは、増分されたカウンタを受信することを含み得る。
【００１２】
[0012]方法、装置、および／またはコンピュータプログラム製品のいくつかの例では、システム情報構成またはシステム情報構成における変更を決定することは、カウンタに基づいて変更されたシステム情報構成を決定することと、カウンタに基づいて更新されたシステム情報を識別することとを含み得る。
【００１３】
[0013]方法、装置、および／またはコンピュータプログラム製品のいくつかの例では、カウンタは、１６個の異なるシステム情報構成にマッピングする４ビットを含み得る。
【００１４】
[0014]方法、装置、および／またはコンピュータプログラム製品の様々な例では、カウンタは、ページングチャネルを介して、物理ブロードキャストチャネルを介して、ＭＴＣ物理ブロードキャストチャネルを介して、および／または、システム情報ブロック（ＳＩＢ）において受信され得る。ＳＩＢは、ＭＴＣ固有ＳＩＢであり得るか、またはＭＴＣ固有ＳＩＢを含み得る。
【００１５】
[0015]説明される方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００１６】
[0016]以下の図面を参照すれば、本発明の性質および利点のさらなる理解が得られ得る。添付の図において、同様の構成要素または特徴は同じ参照ラベルを有し得る。さらに、同じタイプの様々な構成要素は、ダッシュによる参照ラベルと、それらの同様の構成要素同士を区別する第２のラベルとを見ることによって区別され得る。第１の参照ラベルのみが明細書において使用される場合、その説明は、第２の参照ラベルにかかわらず、同じ第１の参照ラベルを有する同様の構成要素のうちのいずれにも適用可能である。
【図面の簡単な説明】
【００１７】
【図１】様々な実施形態によるワイヤレス通信システムのブロック図。
【図２Ａ】様々な実施形態による、マシンタイプ通信サービスを実施する無線アクセスネットワークまたはコアネットワークを含む、ワイヤレス通信システムの一例を示す図。
【図２Ｂ】様々な実施形態による、ＬＴＥ／ＬＴＥ−Ａネットワークを介してマシンタイプ通信サービスを実施する、ワイヤレス通信システムの一例を示す図。
【図３】様々な実施形態による、ワイヤレス通信システムにおいてマシンタイプ通信を容易にするために構成されたデバイスのブロック図。
【図４】様々な実施形態による、ワイヤレス通信システムにおいてマシンタイプ通信を容易にするために構成されたデバイスのブロック図。
【図５】様々な実施形態による、マシンタイプ通信を容易にするために構成されたワイヤレス通信システムのブロック図。
【図６】様々な実施形態による、マシンタイプ通信を容易にするために構成されたワイヤレス通信システムのブロック図。
【図７】様々な実施形態による、マシンタイプ通信を容易にするために構成されたワイヤレス通信システムのブロック図。
【図８】様々な実施形態による、マシンタイプ通信を容易にするために構成された通信システムのブロック図。
【図９】様々な実施形態による、マシンタイプ通信を容易にするために構成されたＭＴＣデバイスのブロック図。
【図１０】様々な実施形態による、基地局とＭＴＣデバイスとを含むシステムのブロック図。
【図１１Ａ】様々な実施形態による、ワイヤレス通信システムにおいてマシンタイプ通信を容易にするための方法の一例を示すフローチャート。
【図１１Ｂ】様々な実施形態による、ワイヤレス通信システムにおいてマシンタイプ通信を容易にするための方法の一例を示すフローチャート。
【図１２Ａ】様々な実施形態による、ワイヤレス通信システムにおいてマシンタイプ通信を容易にするための方法の一例を示すフローチャート。
【図１２Ｂ】様々な実施形態による、ワイヤレス通信システムにおいてマシンタイプ通信を容易にするための方法の一例を示すフローチャート。
【図１３】様々な実施形態による、ワイヤレス通信システムにおいてマシンタイプ通信を容易にするための方法の一例を示すフローチャート。
【図１４Ａ】様々な実施形態による、ワイヤレス通信システムにおいてマシンタイプ通信を容易にするための方法の一例を示すフローチャート。
【図１４Ｂ】様々な実施形態による、ワイヤレス通信システムにおいてマシンタイプ通信を容易にするための方法の一例を示すフローチャート。
【図１５Ａ】様々な実施形態による、ワイヤレス通信システムにおいてマシンタイプ通信を容易にするための方法の一例を示すフローチャート。
【図１５Ｂ】様々な実施形態による、ワイヤレス通信システムにおいてマシンタイプ通信を容易にするための方法の一例を示すフローチャート。
【図１６】様々な実施形態による、ワイヤレス通信システムにおいてマシンタイプ通信を容易にするための方法の一例を示すフローチャート。
【図１７】様々な実施形態による、ワイヤレス通信システムにおいてマシンタイプ通信を容易にするための方法の一例を示すフローチャート。
【発明を実施するための形態】
【００１８】
[0042]ワイヤレス通信システムにおいてマシンタイプ通信を容易にするためのシステム、方法、およびデバイスについて説明する。たとえば、システム、方法、および／またはデバイスは、それらのＭＴＣデバイスなど、リンクバジェットが制限されたＭＴＣデバイスをサポートすることができる。いくつかの実施形態では、ＭＴＣ物理ブロードキャストチャネルが、マシンタイプ通信を容易にするために利用され得る。ＭＴＣ物理ブロードキャストチャネルは、通常の物理ブロードキャストチャネルとは異なる１つまたは複数のサブフレームを介して送信され得る。ＭＴＣ物理ブロードキャストチャネルのためのペイロードは、場合によっては、レガシー物理ブロードキャストチャネルと比較して、低減され得る。ＭＴＣ物理ブロードキャストチャネルはまた、ページングの存在を示すため、および／または、システム情報における変更を示すためにも利用され得る。
【００１９】
[0043]いくつかの実施形態は、１つまたは複数のＭＴＣ固有システム情報ブロックを利用する。ＭＴＣシステム情報ブロックは、複数のシステム情報ブロックを結合および簡略化し得る。ＭＴＣ固有システム情報ブロックのロケーションは、あらかじめ決定されてよく、または、それらのロケーションについての情報は、ＭＴＣ物理ブロードキャストチャネルを介して送信され得る。いくつかの実施形態はまた、システム情報更新を示す得る拡張ページングチャネルを提供することもできる。
【００２０】
[0044]いくつかの実施形態は、新しいキャリアタイプ（ＮＣＴ）に適用されるブロードキャストチャネル設計を利用することができる。たとえば、物理ブロードキャストチャネル（ＰＢＣＨ）および／またはシステム情報ブロック（ＳＩＢ）は、様々な実施形態によれば、レガシーキャリアタイプとは異なるように設計され得る。さらに、ＮＣＴに適用され得るツールおよび技法のために、いくつかの実施形態は、ＰＢＣＨにおいてＰＤＣＣＨおよび／またはｅＰＤＣＣＨ構成のシグナリングを利用することができる。
【００２１】
[0045]本明細書で説明される技法は、セルラーワイヤレスシステム、ピアツーピアワイヤレス通信、ワイヤレスローカルアクセスネットワーク（ＷＬＡＮ）、アドホックネットワーク、衛星通信システム、および他のシステムなど、様々なワイヤレス通信システムのために使用され得る。「システム」および「ネットワーク」という用語は、しばしば互換的に使用される。これらのワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および／または他の無線技術など、様々な無線技術を採用し得る。ＣＤＭＡシステムの例としては、ＣＤＭＡ２０００、ユニバーサル地上波無線アクセス（ＵＴＲＡ）などがある。ＣＤＭＡ２０００は、ＩＳ−２０００規格と、ＩＳ−９５規格と、ＩＳ−８５６規格とをカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムの例としては、モバイル通信用グローバルシステム（ＧＳＭ（登録商標））の様々な実装形態がある。ＯＦＤＭＡおよびＯＦＤＭシステムの例には、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどがある。ＵＴＲＡおよびＥ−ＵＴＲＡは、ユニバーサルモバイル通信システム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、上記のシステムおよび無線技術、ならびに他のシステムおよび無線技術のために使用され得る。
【００２２】
[0046]したがって、以下の説明は、例を与えるものであり、特許請求の範囲において記載される範囲、適用性、または構成を限定するものではない。本開示の趣旨および範囲から逸脱することなく、論じられる要素の機能および構成において変更が行われ得る。様々な実施形態は、適宜に様々な手順または構成要素を省略、置換、または追加し得る。たとえば、説明される方法は、説明される順序と異なる順序で実施され得、様々なステップが追加、省略、または組み合わせられ得る。また、いくつかの実施形態に関して説明される特徴は、他の実施形態において組み合わせられ得る。
【００２３】
[0047]最初に図１を参照すると、ブロック図は、様々な実施形態によるワイヤレス通信システム１００の一例を示す。システム１００は、基地局１０５（またはセル）と、通信デバイス１１５と、基地局コントローラ１２０と、コアネットワーク１３０とを含む（コントローラ１２０は、コアネットワーク１３０に組み込まれ得る）。システム１００は、複数のキャリア（異なる周波数の複数の波形信号）上での動作をサポートし得る。マルチキャリア送信機は、複数のキャリアで同時に、変調信号を送信し得る。たとえば、各変調信号は、上記で説明された様々な無線技術に従って変調されたマルチキャリアチャネルであり得る。各変調信号は、異なるキャリア上で送られ得、制御情報（たとえば、パイロット信号、制御チャネルなど）、オーバーヘッド情報、データなどを搬送し得る。システム１００は、ネットワークリソースを効率的に割り振ることが可能なマルチキャリアＬＴＥ／ＬＴＥ−Ａネットワークであり得る。
【００２４】
[0048]基地局１０５は、基地局アンテナ（図示せず）を介してデバイス１１５とワイヤレス通信し得る。基地局１０５は、複数のキャリアを介して基地局コントローラ１２０の制御下でデバイス１１５と通信し得る。基地局１０５サイトの各々は、それぞれの地理的エリアに通信カバレージを与え得る。いくつかの実施形態では、基地局１０５は、トランシーバ基地局、無線基地局、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、またはいくつかの他の好適な用語で呼ばれることがある。ここでは、各基地局１０５のためのカバレージエリアは、１１０−ａ、１１０−ｂ、または１１０−ｃとして識別される。基地局のためのカバレージエリアは、セクタ（図示しないが、カバレージエリアの一部のみを構成する）に分割され得る。システム１００は、異なるタイプの基地局１０５（たとえば、マクロ基地局、ピコ基地局、および／またはフェムト基地局）を含み得る。マクロ基地局は、比較的大きい地理的エリア（たとえば、半径３５ｋｍ）に通信カバレージを与え得る。ピコ基地局は、比較的小さい地理的エリア（たとえば、半径１２ｋｍ）にカバレージを与え得、フェムト基地局は、比較的より小さい地理的エリア（たとえば、半径５ｋｍ）に通信カバレージを与え得る。異なる技術のための重複するカバレージエリアがあり得る。
【００２５】
[0049]デバイス１１５はカバレージエリア１１０全体にわたって分散され得る。各デバイス１１５は、固定またはモバイルであり得る。一構成では、デバイス１１５は、限定はしないが、マクロ基地局、ピコ基地局、およびフェムト基地局など、異なるタイプの基地局と通信することが可能であり得る。
【００２６】
[0050]デバイス１１５のいくつかは、人の介在が制限されるか、または人の介在なしに、様々な機能を実行し、情報を取り込み、および／または情報を通信する、マシンタイプ通信（ＭＴＣ）デバイス１１５であり得る。たとえば、ＭＴＣデバイス１１５は、他のデバイス、環境条件などを監視および／または追跡するためのセンサーおよび／またはメーターを含み得る。ＭＴＣデバイス１１５は、スタンドアロンデバイスであってよく、または、実施形態では、ＭＴＣデバイス１１５は、他のデバイスに組み込まれ得る。たとえば、セルラーフォンおよびワイヤレス通信デバイス、携帯情報端末（ＰＤＡ）、他のハンドヘルドデバイス、ネットブック、ノートブックコンピュータ、監視カメラ、ハンドル付き医療用走査デバイス、家庭用電気器具などのデバイスが、１つまたは複数のＭＴＣデバイス１１５を含み得る。次の説明では、ネットワークと１つまたは複数のＭＴＣデバイスとを含むシステムのための通信および処理に適用されるものとして、様々な技法について説明する。説明される技法は、ＭＴＣデバイスを組み込んだものなどの他のデバイス、および／または、他のワイヤレス通信デバイスに有利に適用され得ることを理解されたい。
【００２７】
[0051]ＭＴＣデバイス１１５によって収集された情報は、サーバなどのバックエンドシステムへ、システム１００の構成要素を含むネットワーク上で送信され得る。ＭＴＣデバイス１１５への／からのデータの送信は、基地局１０５を通してルーティングされ得る。基地局１０５は、ＭＴＣデバイス１１５へシグナリングおよび／または情報を送信するための順方向リンク、ならびに、ＭＴＣデバイス１１５からシグナリングおよび／または情報を受信するための逆方向リンク上で、ＭＴＣデバイス１１５と通信し得る。
【００２８】
[0052]一例では、ネットワークコントローラ１２０は、基地局のセットに結合され、これらの基地局１０５の調整および制御を行い得る。コントローラ１２０は、バックホール（たとえば、コアネットワーク１３０）を介して基地局１０５と通信し得る。基地局１０５はまた、直接もしくは間接的におよび／またはワイヤレスバックホールもしくはワイヤラインバックホールを介して互いに通信し得る。
【００２９】
[0053]ＭＴＣデバイス１１５、基地局１０５、コアネットワーク１３０、および／またはコントローラ１２０など、システム１００の異なる態様は、１つまたは複数のＭＴＣ物理ブロードキャストチャネルを利用するように構成され得る。たとえば、基地局１０５、コアネットワーク１３０、および／またはコントローラ１２０は、ＭＴＣ物理ブロードキャストチャネルを介して送信するための情報を構成し得る。情報は、ＭＴＣデバイス１１５へ、ＭＴＣ物理ブロードキャストチャネルを介して送信され得る。ＭＴＣデバイス１１５は、ＭＴＣ物理ブロードキャストチャネルを介して送信された情報を受信するように構成され得る。ＭＴＣ物理ブロードキャストチャネルを介して受信された情報は、ＭＴＣデバイス１１５によって処理され得る。
【００３０】
[0054]システム１００の異なる態様、そのようなＭＴＣデバイス１１５、基地局１０５、コアネットワーク１３０、および／またはコントローラ１２０は、通常の物理ブロードキャストチャネルに対して、ＭＴＣ物理ブロードキャストチャネルのための低減されたペイロードを含む情報を送信および／または受信するように構成され得る。ＭＴＣ物理ブロードキャストチャネルを介して送信および／または受信された情報は、ＭＴＣ物理ブロードキャストチャネルを介して送信されたページングインジケータを受信することを含み得る。いくつかの実施形態は、システム１００の異なる態様、そのようなＭＴＣデバイス１１５、基地局１０５、コアネットワーク１３０、および／またはコントローラ１２０を利用して、ＭＴＣ物理ブロードキャストチャネルを介して送信されたシステム情報変更インジケータを送信および／または受信することを含む。
【００３１】
[0055]いくつかの実施形態では、システム１００は、ＬＴＥ／ＬＴＥ−Ａネットワークである。以下で説明されるように、ＬＴＥ／ＬＴＥ−Ａは、ｅＮＢ１０５からＵＥ１１５へシステム情報を伝達するための多数の異なるシステム情報ブロック（ＳＩＢ）を定義する。本明細書内では、ＬＴＥ／ＬＴＥ−Ａにおいて現在定義されているＳＩＢは、ＭＴＣ固有システム情報ブロックと区別するために、「通常のシステム情報ブロック」または「他のシステム情報ブロック」と呼ばれることがある。
【００３２】
[0056]いくつかの実施形態では、基地局１０５、コアネットワーク１３０、および／またはコントローラ１２０など、システム１００の異なる態様は、１つまたは複数のＭＴＣ固有システム情報ブロックを構成し得る。１つまたは複数のＭＴＣ固有システム情報ブロックは、ＭＴＣデバイス１１５へ送信され、ＭＴＣデバイス１１５によって受信され得、ＭＴＣデバイス１１５で、１つまたは複数のＭＴＣ固有システム情報ブロックが処理され得る。ＭＴＣ固有システム情報ブロックは、１つまたは複数のＭＴＣ固有システム情報ブロックのうちの少なくとも１つに結合された（combined into）、複数の通常のシステム情報ブロックの各々からの少なくとも一部分を含み得る。場合によっては、１つまたは複数のＭＴＣ固有システム情報ブロックは、１つまたは複数の所定のロケーションにあり得る。１つまたは複数の所定のロケーションは、少なくともセルＩＤ、サイクリックプレフィックス長、分割デュプレックス構成の関数であり得る。ＭＴＣデバイス１１５、基地局１０５、コアネットワーク１３０、および／またはコントローラ１２０など、システム１００の異なる態様は、ＭＴＣ物理ブロードキャストチャネルを介して、１つまたは複数のＭＴＣ固有システム情報ブロックの１つまたは複数のロケーションに関する情報を送信および／または受信するように構成され得る。
【００３３】
[0057]いくつかの実施形態では、システム１００の異なる態様、そのような基地局１０５、コアネットワーク１３０、および／またはコントローラ１２０は、１つまたは複数のＭＴＣ固有システム情報ブロックを構成し得る。カウンタは、システム情報構成またはシステム情報構成における変更を指示するために構成され、および／または、ＭＴＣデバイス１１５へページングチャネルを介して送信され得る。カウンタは、システム情報構成またはシステム情報における変更を反映するために、複数のビットを含み得る。ＭＴＣデバイス１１５は、ページングチャネルを介して受信されたカウンタを利用することによって、システム情報構成またはシステム情報構成における変更を決定するように構成され得る。
【００３４】
[0058]いくつかの実施形態では、ＭＴＣデバイス１１５は、ＭＴＣデバイス１１５のスリープ時間がある持続期間を超えるかどうかを決定するように構成され得る。ＭＴＣ固有システム情報ブロックは、決定されたスリープ時間がその持続期間を超えるとき、ＭＴＣデバイス１１５によって読み取られ得る。
【００３５】
[0059]図２Ａは、様々な実施形態による、マシンタイプ通信サービスを実施する無線アクセスネットワーク（ＲＡＮ）またはコアネットワーク１３０−ａを含む、ワイヤレス通信システム２００−ａの一例を示す。システム２００−ａは、いくつかのＭＴＣデバイス１１５−ａと、ＭＴＣサーバ２１０とを含み得る。サーバ２１０とＭＴＣデバイス１１５との間の通信は、図１のコアネットワーク１３０の一例であり得るコアネットワーク／ＲＡＮ１３０−ａの一部と見なされ得る、基地局１０５を通してルーティングされ得る。基地局１０５−ａは、図１に示された基地局の一例であり得る。ＭＴＣデバイス１１５−ａは、図１に示されたＭＴＣデバイス１１５の例であり得る。図２に示されたＭＴＣデバイス１１５−ａ、コアネットワーク／ＲＡＮ１３０−ａ、およびＭＴＣサーバ２１０の量は例示のためにすぎず、限定するものとして解釈されるべきでないことを、当業者なら理解されよう。
【００３６】
[0060]ワイヤレス通信システム２００−ａは、１つもしくは複数のＭＴＣデバイス１１５−ａおよび／または１つもしくは複数の基地局１０５−ａの間のマシンタイプ通信を容易にするように動作可能であり得る。マシンタイプ通信は、人の介在なしの１つまたは複数のデバイス間の通信を含み得る。一例では、マシンタイプ通信は、ユーザの介在なしの、ＭＴＣデバイス１１５−ａなどのリモートマシンと、ＭＴＣサーバ２１０などのバックエンドＩＴインフラストラクチャとの間のデータの自動交換を含み得る。コアネットワーク／ＲＡＮ１３０−ａを介した（たとえば、基地局１０５−ａを介した）ＭＴＣデバイス１１５−ａからＭＴＣサーバ２１０へのデータの転送は、逆方向リンク通信を使用して実施され得る。ＭＴＣデバイス１１５−ａによって収集されたデータ（たとえば、監視データ、センサーデータ、メーターデータなど）は、逆方向リンク通信上でＭＴＣサーバ２１０へ転送され得る。
【００３７】
[0061]基地局１０５−ａを介したＭＴＣサーバ２１０からＭＴＣデバイス１１５−ａへのデータの転送は、順方向リンク通信を介して実施され得る。順方向リンクは、ＭＴＣデバイス１１５−ａへ命令、ソフトウェア更新、および／またはメッセージを送るために使用され得る。命令は、機器、環境条件などをリモートで監視するように、ＭＴＣデバイス１１５−ａに命令し得る。マシンタイプ通信は、限定はしないが、ユーティリティメータリング、リモート監視、測定および状態記録、フリート管理およびアセット追跡、インフィールド（in-field）データ収集、配信、物理的アクセス制御、および／または記憶など、様々な適用例とともに使用され得る。基地局１０５−ａは、命令、ソフトウェア更新、および／またはメッセージを送信するために少数のチャネルをもつ１つまたは複数の順方向リンクフレームを生成し得る。様々なＭＴＣデバイス１１５−ａは、命令または他のデータが特定のフレームのチャネル上に含まれるとき、そのフレームを監視するためにウェイクアップし得る。
【００３８】
[0062]いくつかの実施形態では、ＭＴＣデバイス１１５−ａ、および／またはコアネットワーク／ＲＡＮ１３０−ａなど、システム２００−ａの異なる態様は、１つまたは複数のＭＴＣ物理ブロードキャストチャネルを利用するように構成され得る。たとえば、コアネットワーク／ＲＡＮ１３０−ａは、ＭＴＣ物理ブロードキャストチャネルを介して送信するための情報を構成し得る。情報は、ＭＴＣデバイス１１５−ａへ、ＭＴＣ物理ブロードキャストチャネルを介して送信され得る。ＭＴＣデバイス１１５−ａは、ＭＴＣ物理ブロードキャストチャネルを介して送信された情報を受信するように構成され得る。ＭＴＣ物理ブロードキャストチャネルを介して受信された情報は、ＭＴＣデバイス１１５−ａによって処理され得る。
【００３９】
[0063]システム２００−ａの異なる態様、そのようなＭＴＣデバイス１１５−ａ、および／またはコアネットワーク／ＲＡＮ１３０−ａは、ＭＴＣ物理ブロードキャストチャネルのための低減されたペイロードを含む情報を送信および／または受信するように構成されてよく、そこで、ペイロードは、通常の物理ブロードキャストチャネルに対して低減される。ＭＴＣ物理ブロードキャストチャネルを介して送信および／または受信された情報は、ＭＴＣ物理ブロードキャストチャネルを介して送信されたページングインジケータを受信することを含み得る。いくつかの実施形態は、ＭＴＣデバイス１１５−ａ、および／またはコアネットワーク／ＲＡＮ１３０−ａなど、システム２００−ａの異なる態様を利用して、ＭＴＣ物理ブロードキャストチャネルを介して送信されたシステム情報変更インジケータを送信および／または受信することを含む。
【００４０】
[0064]いくつかの実施形態では、コアネットワーク／ＲＡＮ１３０−ａなど、システム２００−ａの異なる態様は、１つまたは複数のＭＴＣ固有システム情報ブロックを構成する。１つまたは複数のＭＴＣ固有システム情報ブロックは、ＭＴＣデバイス１１５へ送信され、ＭＴＣデバイス１１５によって受信されてよく、ＭＴＣデバイス１１５で、１つまたは複数のＭＴＣ固有システム情報ブロックが処理され得る。ＭＴＣ固有システム情報ブロックは、少なくとも１つまたは複数のＭＴＣ固有システム情報ブロックに結合された、いくつかの他のシステム情報ブロックの各々からの少なくとも一部分を含み得る。
【００４１】
[0065]場合によっては、ＭＴＣ固有システム情報ブロックは、１つまたは複数の所定のロケーションにあり得る。所定のロケーションは、少なくともセルＩＤ、サイクリックプレフィックス長、分割デュプレックス構成の関数であり得る。ＭＴＣデバイス１１５−ａ、および／またはコアネットワーク／ＲＡＮ１３０−ａなど、システム２００−ａの異なる態様は、ＭＴＣ物理ブロードキャストチャネルを介して、１つまたは複数のＭＴＣ固有システム情報ブロックの１つまたは複数のロケーションに関する情報を送信および／または受信するように構成され得る。
【００４２】
[0066]いくつかの実施形態では、システム２００−ａの異なる態様、そのようなＭＴＣデバイス１１５−ａ、および／またはコアネットワーク／ＲＡＮ１３０−ａは、１つまたは複数のＭＴＣ固有システム情報ブロックを構成し得る。カウンタは、システム情報構成またはシステム情報構成における変更を示すために構成され、および／または、ＭＴＣデバイス１１５−ａへ送信され得る。カウンタは、システム情報構成またはシステム情報における変更を反映するために、複数のビットを含み得る。ＭＴＣデバイス１１５−ａは、カウンタを利用することによって、システム情報構成またはシステム情報構成における変更を決定するように構成され得る。ＭＴＣデバイス１１５−ａは、ページングチャネル、ＰＢＣＨ、またはＭＴＣ物理ブロードキャストチャネルを含む、いくつかのチャネルのうちのいずれか１つを介して、カウンタを受信し得る。
【００４３】
[0067]いくつかの実施形態では、ＭＴＣデバイス１１５−ａは、ＭＴＣデバイス１１５−ａのスリープ時間がある持続期間を超えるかどうかを決定するように構成され得る。システム情報ブロック（たとえば、ＭＴＣ固有システム情報ブロック）は、決定されたスリープ時間がその持続期間を超えるとき、ＭＴＣデバイス１１５−ａによって読み取られ得る。
【００４４】
[0068]図２Ｂは、様々な実施形態による、ＬＴＥ／ＬＴＥ−Ａネットワークを介してマシンタイプ通信サービスを実施する、ワイヤレス通信システム２００−ｂの一例を示す。システム２００−ｂは、図２Ａのシステム２００−ａおよび／または図１のシステム１００の一例であり得る。ＬＴＥ／ＬＴＥ−Ａネットワークは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）２０５とＥｖｏｌｖｅｄ  Ｐａｃｋｅｔ  Ｃｏｒｅ（ＥＰＣ）２２０とを含み得る。ＬＴＥ  Ｅ−ＵＴＲＡＮ２０５およびＥＰＣ２２０は、エンドツーエンドパケット交換通信をサポートするために構成され得る。ＥＰＣ２２０は、パケットデータネットワーク（ＰＤＮ）ゲートウェイ２２２を含み得る。ＰＤＮゲートウェイ２２２は、１つまたは複数のインターネットプロトコル（ＩＰ）ネットワーク２３０に接続され得る。ＩＰネットワーク２３０は、事業者ＩＰネットワーク、ならびに外部ＩＰネットワークを含み得る。たとえば、ＩＰネットワーク２３０は、インターネットと、１つまたは複数のイントラネットと、ＩＰマルチメディアサブシステム（ＩＭＳ）と、ＰＳストリーミングサービス（ＰＳＳ）とを含み得る。ＰＤＮゲートウェイ２２２は、ＵＥのＩＰアドレス割振りならびに他の機能を与え得る。ＥＰＣ２２０は、他のアクセスネットワークと相互接続し得る。たとえば、ＥＰＣ２２０は、１つまたは複数のサービングＧＰＲＳサポートノード（ＳＧＳＮ）２４０を介して、ＵＴＲＡＮ２４２および／またはＧＥＲＡＮ２４４と相互接続し得る。
【００４５】
[0069]ＥＰＣ２２０は、１つまたは複数のサービングゲートウェイ２２４および／またはモビリティ管理エンティティ（ＭＭＥ）２２６を含み得る。サービングゲートウェイ２２４は、Ｅ−ＵＴＲＡＮ２０５へのインターフェースを扱い、ＲＡＴ間モビリティのための通信ポイント（たとえば、ＵＴＲＡＮ２４２および／またはＧＥＲＡＮ２４４へのハンドオーバなど）を提供することができる。一般に、ＭＭＥ２２６は、ベアラおよび接続管理を提供し得るが、サービングゲートウェイ２２４は、ｅＮＢ１０５と他のネットワークエンドポイント（たとえば、ＰＤＮ  ＧＷ２２２など）との間でユーザＩＰパケットを転送し得る。たとえば、ＭＭＥ２２６は、ＲＡＴ間モビリティ機能（たとえば、サービングゲートウェイ選択）および／またはＵＥ追跡管理を管理し得る。サービングゲートウェイ２２４およびＭＭＥ２２６は、ＥＰＣ２２０の１つの物理ノードにおいて、または別個の物理ノードにおいて実装され得る。ホーム加入者サービス（ＨＳＳ）および／またはホームロケーションレジスタ（ＨＬＲ）ノード２６０は、ＵＥのためのサービス許可および／またはユーザ認証を提供し得る。ＨＳＳ／ＨＬＲノード２６０は、１つまたは複数のデータベース２６２と通信中であり得る。そのようなサービス許可および／またはユーザ認証情報は、いくつかのＭＴＣデバイスに関連付けられたＵＩＣＣまたはＳＩＭカードに対するネットワーク加入許可を含み得る。
【００４６】
[0070]Ｅ−ＵＴＲＡＮ２０５は、１つまたは複数の基地局またはｅＮＢ１０５−ｂを含んでよく、基地局またはｅＮＢ１０５−ｂは、ＬＴＥネットワークのエアインターフェースを介して、ＵＥ（たとえば、ＭＴＣデバイス１１５）のためのユーザおよび制御プレーンプロトコル終端を提供する。ｅＮＢ１０５−ｂは、ｅＮＢ内通信のためのＸ２インターフェースで接続され得る。ｅＮＢ１０５−ｂは、データトラフィックおよび／または制御プレーン情報を通信するために、Ｓ−１インターフェース２１５を介して、サービングゲートウェイ２２４および／またはＭＭＥ２２６に接続され得る。ＭＴＣデバイス１１５−ｂは、たとえば、以下でより詳細に説明されるように、多入力多出力（ＭＩＭＯ）、多地点協調（ＣｏＭＰ）、または他の方式を通して、複数のｅＮＢ１０５と協調的に通信するように構成され得る。
【００４７】
[0071]実施形態では、ワイヤレス通信ネットワーク２００−ｂは、ＭＴＣ相互作用機能（ＩＷＦ：inter working function）２５０を含み、ＭＴＣ  ＩＷＦ２５０は、ＬＴＥネットワーク内でＭＴＣサービスを提供するために、ＥＰＣ２２０と１つまたは複数の外部ＭＴＣサーバ２１０との間のインターフェースを提供し得る。ＭＴＣ  ＩＷＦ２５０は、ＥＰＣ２２０の１つまたは複数の既存の物理ノード（たとえば、サービングゲートウェイ２２４など）において、または、ＥＰＣ２２０に接続された別個の物理ノードにおいて実装され得る。
【００４８】
[0072]様々な開示される実施形態のいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、論理チャネルを介して通信するためにパケットセグメンテーションとリアセンブリとを実施し得る。媒体アクセス制御（ＭＡＣ）レイヤは、優先度処理と、トランスポートチャネルへの論理チャネルの多重化とを実施し得る。ＭＡＣレイヤはまた、信頼性が高いデータ送信を保証するためにＭＡＣレイヤにおいて再送信を行うために、ハイブリッド自動再送要求（ＨＡＲＱ）技法を使用し得る。制御プレーンでは、無線リソース制御（ＲＲＣ）プロトコルレイヤは、ユーザプレーンデータのために使用されるＵＥとネットワークとの間のＲＲＣ接続の確立と、構成と、維持とを提供し得る。物理レイヤにおいて、トランスポートチャネルは物理チャネルにマッピングされ得る。
【００４９】
[0073]ｅＮＢ１０５とともに適切にアクセスおよび動作するために、ＭＴＣデバイス１１５は、システム情報を獲得する必要があり得る。システム情報は、アップリンク／ダウンリンク構成、アップリンクおよびダウンリンク帯域幅、ランダムアクセス送信、アップリンク電力制御などに関係する情報を含み得る。ＬＴＥ／ＬＴＥ−Ａネットワークでは、システム情報は、マスタ情報ブロック（ＭＩＢ）およびいくつかのシステム情報ブロック（ＳＩＢ）において伝達される。一般に、ブロードキャストチャネル（ＢＣＨ）を利用して送信され得るＭＩＢは、制限された量のシステム情報を含むが、ダウンリンク共有チャネル（ＤＬ−ＳＣＨ）を利用して送信され得る様々なＳＩＢは、必要なシステム情報の大部分を含む。そのようなものは、図１、図２Ａ、および図２Ｂのシステム１００および２００における場合であり得る。
【００５０】
[0074]ＬＴＥ／ＬＴＥ−Ａは、各ＳＩＢが伝達するシステム情報のタイプに従って、異なるＳＩＢを定義する。ＳＩＢ１は、セル識別情報を含む、セルアクセス情報を含み、ＵＥがｅＮＢ１０５にキャンプオンすることが可能にされるかどうかを示し得る。ＳＩＢ１はまた、セル選択情報（または、セル選択パラメータ）を含む。追加として、ＳＩＢ１は、他のＳＩＢのためのスケジューリング情報を含む。ＳＩＢ２は、無線リソース構成情報を含む、共通チャネルおよび共有チャネルに関係するセルアクセス情報とパラメータとを含む。ＳＩＢ３は、セル再選択パラメータを含む。ＳＩＢ４およびＳＩＢ５は、隣接するＬＴＥセルについての再選択情報を含む。ＳＩＢ６からＳＩＢ８は、非ＬＴＥ（たとえば、ＵＭＴＳ、ＧＥＲＡＮ、およびＣＤＭＡ２０００）隣接セルについての再選択情報を含む。ＳＩＢ９は、ホームｅＮＢの名前を含む。ＳＩＢ１０からＳＩＢ１２は、ＭＴＣデバイスに関連し得る、緊急事態通知情報（たとえば、津波および地震警報）を含む。そして、ＳＩＢ１３は、マルチメディアブロードキャスト／マルチキャストサービス（ＭＢＭＳ）構成に関係する情報を含む。
【００５１】
[0075]図１、図２Ａ、および図２Ｂのシステム１００および２００のｅＮＢ１０５はまた、ＭＴＣデバイス１１５が受信および処理するように構成される、ＭＴＣ固有システム情報ブロックを構成することが可能であり得る。たとえば、ＭＴＣ固有システム情報ブロックは、他のシステム情報ブロックの組合せ、または、２つ以上の他のシステム情報ブロック中に含まれるシステム情報の組合せを含み得る。いくつかの実施形態では、ＭＴＣ固有システム情報ブロックは、ＳＩＢ１、ＳＩＢ２、および／またはＳＩＢ１２を含む。場合によっては、ＭＴＣ固有システム情報ブロックは、セルアクセス情報、他のＳＩＢのためのスケジューリング情報、および無線リソース構成情報のための、フィールドを含む。
【００５２】
[0076]追加または代替として、ＭＴＣ固有システム情報ブロックは、１つの他のシステム情報ブロック中に含まれるシステム情報のサブセットからなり得る−これは、ＭＴＣに関連するシステム情報を含み、無関係のシステム情報を除外し得る。たとえば、ＭＴＣ固有システム情報ブロックは、ＳＩＢ１、ＳＩＢ２、またはＳＩＢ１２において利用可能なシステム情報のサブセットを含み得る。たとえば、ＭＴＣ固有システム情報ブロックは、セルアクセス情報およびセル選択のためのフィールドを含み得、または、他のシステム情報ブロックのためのスケジューリング情報のためのフィールドを含み得る。
【００５３】
[0077]場合によっては、ＭＴＣ固有システム情報ブロックは、ＭＴＣ固有チャネル構成情報−たとえば、ＭＴＣランダムアクセスチャネル（ＲＡＣＨ）またはＭＴＣページングチャネルのための構成情報を含む。ＭＴＣ固有システム情報ブロックはまた、物理アップリンク共有チャネル（ＰＵＳＣＨ）、電力制御、および／またはタイマーのための構成情報を含み得る。他の実施形態においてであるが、ＭＴＣ固有システム情報ブロックは、ＰＵＳＣＨおよびサウンディング基準信号（ＳＲＳ）構成情報以外の、無線リソース構成情報のためのフィールドを含み得る。
【００５４】
[0078]システム２００−ｂの異なる態様は、図２のシステム２００−ａおよび／または図１のシステム１００に関して上記で説明されたような、異なる実施形態を実施し得る。異なる実施形態に関するさらなる詳細はまた、図３のデバイス３００および／または図４のデバイス４００に関して以下で提供される。いくつかの具体的な実施形態もまた、図２Ｂのシステム２００−ｂなどのシステムを利用して実装され得る、図５のシステム５００、図６のシステム６００、および／または図７のシステム７００に関して提供される。
【００５５】
[0079]次に図３を参照すると、ブロック図は、様々な実施形態による、ワイヤレス通信システムにおいてマシンタイプ通信（ＭＴＣ）を容易にするために構成されたデバイス３００を示す。デバイス３００は、図１、図２Ａ、および／または図２Ｂに示されるように、基地局１０５の１つまたは複数の態様の一例であり得る。デバイス３００はまた、プロセッサでもあり得る。デバイス３００は、受信機３１０、ＭＴＣ情報構成モジュール３２０、および／または送信機３３０を含み得る。これらの構成要素の各々は、互いに通信中であり得る。場合によっては、これらの構成要素は、互いと統合されてよく、たとえば、ＭＴＣ情報構成モジュール３２０は、統合された送信機３３０であり得る。
【００５６】
[0080]デバイス３００のこれらの構成要素は、個別にまたは集合的に、ハードウェア中の適用可能な機能の一部または全部を実施するように適合された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるためにフォーマットされた、メモリ中に組み込まれた命令を用いて実装され得る。言及されたモジュールの各々は、デバイス３００の動作に関係する１つまたは複数の機能を実施するための手段であり得る。
【００５７】
[0081]ＭＴＣ情報構成モジュール３２０および／または送信機３３０は、ＭＴＣ物理ブロードキャストチャネルを介して送信するための情報を構成し得る。情報は、送信機３３０を通して、ＭＴＣ物理ブロードキャストチャネルを介して送信され得る。場合によっては、情報は、複数のＭＴＣデバイスへ送信され得る。
【００５８】
[0082]いくつかの実施形態では、ＭＴＣ物理ブロードキャストチャネルは、通常の物理ブロードキャストチャネルから分離したサブフレーム内で送信される。ＭＴＣ物理ブロードキャストチャネルは、フレームの第５のサブフレーム（ＳＦ５）内、中央の６個のリソースブロック（ＲＢ）内で送信され得る。場合によっては、情報は、フレーム内で複数回送信される。
【００５９】
[0083]ＭＴＣ情報構成モジュール３２０および／または送信機３３０は、通常の物理ブロードキャストチャネルに対して、ＭＴＣ物理ブロードキャストチャネルのためのペイロードを低減することを含むように、ＭＴＣ物理ブロードキャストチャネルを介して送信するための情報を構成し得る。ＭＴＣ物理ブロードキャストチャネルのためのペイロードを低減することは、通常の物理ブロードキャストチャネルに対して、ダウンリンク帯域幅、システムフレーム番号、物理ハイブリッドＡＲＱインジケータチャネル（ＰＨＩＣＨ）持続時間、ＰＨＩＣＨグループ、１つもしくは複数の予約済みビット、または、サイクリック冗長検査を反映するために利用される、１つまたは複数のビットを除去することを含み得る。
【００６０】
[0084]ＭＴＣ情報構成モジュール３２０および／または送信機３３０は、ＭＴＣ物理ブロードキャストチャネルを介して、ＭＴＣ固有システム情報ブロックロケーションを示すように構成され得る。ＭＴＣ情報構成モジュール３２０および／または送信機３３０は、ＭＴＣ物理ブロードキャストチャネルを介して、ＭＴＣシステムフレーム番号を送信するように構成され得る。ＭＴＣシステムフレーム番号は、たとえば、通常のシステムフレーム番号よりも長いフレーム長にマッピングし得る。
【００６１】
[0085]ＭＴＣ情報構成モジュール３２０および／または送信機３３０を通して、ＭＴＣ物理ブロードキャストチャネルを介して送信するための情報を構成することは、ＭＴＣ物理ブロードキャストチャネルを介して送信するためのページングインジケータを構成することを含み得る。ページングインジケータは、少なくとも１つのＭＴＣデバイスのためのページングがあるかどうかを示すために、１個別ビットを含み得る。ページングインジケータは、他の場合には、複数の異なるページンググループのためのページングがあるかどうかを示すために、複数のビットを含み得る。ＭＴＣ物理ブロードキャストチャネルを介して送信するための情報を構成することは、ＭＴＣ物理ブロードキャストチャネルを介して送信するためのシステム情報変更インジケータを構成することを含み得る。たとえば、カウンタが構成および送信されてよく、カウンタは、システム情報構成またはシステム情報構成における変更を示し得る。カウンタはまた、ウェイクアップし、１つまたは複数のＭＴＣ固有システム情報ブロックを受信し、復号するように、ＭＴＣデバイス１１５に通知し得る。
【００６２】
[0086]いくつかの実施形態では、ＭＴＣ情報構成モジュール３２０および／または送信機３３０は、１つまたは複数のＭＴＣ固有システム情報ブロックを構成し得る。ＭＴＣ情報構成モジュール３２０および／または送信機３３０は、複数のＭＴＣデバイスへ、１つまたは複数のＭＴＣ固有システム情報ブロックを送信し得る。
【００６３】
[0087]ＭＴＣ情報構成モジュール３２０および／または送信機３３０を通して、１つまたは複数のＭＴＣ固有システム情報ブロックを構成することは、複数の他のシステム情報ブロックの各々からの一部分を、１つまたは複数のＭＴＣ固有システム情報ブロックのうちの少なくとも１つに結合することを含み得る。これは、複数の通常のシステム情報ブロックのうちの少なくとも１つからの部分を除去することを含み得る。ＭＴＣ情報構成モジュール３２０はまた、他のシステム情報ブロックにおいて利用可能なＭＴＣ関連、またはＭＴＣ固有情報のサブセットを含む、ＭＴＣ固有システム情報ブロックを構成し得る。
【００６４】
[0088]ＭＴＣ情報構成モジュール３２０および／または送信機３３０は、複数のシステム情報ブロックのうちの１つまたは複数からの１つまたは複数の通常のフィールドを差し替えるために、１つまたは複数のＭＴＣ固有システム情報ブロックの一部として、１つまたは複数のＭＴＣフィールドを利用するように構成され得る。
【００６５】
[0089]場合によっては、１つまたは複数のＭＴＣ固有システム情報ブロックは、１つまたは複数の所定のロケーションにあり得る。１つまたは複数の所定のロケーションは、少なくともセルＩＤ、サイクリックプレフィックス長、または分割デュプレックス構成の関数であり得る。いくつかの実施形態は、ＭＴＣ固有システム情報ブロックの１つまたは複数のロケーションに関する情報を伝達するために、ＭＴＣ物理ブロードキャストチャネルを利用することを含む。
【００６６】
[0090]いくつかの実施形態では、ＭＴＣ情報構成モジュール３２０および／または送信機３３０は、複数のシステム情報構成から、システム情報構成を決定し得る。カウンタは、少なくとも決定されたシステム情報構成または決定されたシステム情報構成における変更を示すために、ページングチャネルを介して送信されるために、ＭＴＣ情報構成モジュール３２０および／または送信機３３０を通して構成および／または送信され得る。カウンタは、決定されたシステム情報構成もしくは決定されたシステム情報における変更、または両方を反映するために、複数のビットを含み得る。
【００６７】
[0091]次に図４を参照すると、ブロック図は、様々な実施形態による、ワイヤレス通信システムにおいてマシンタイプ通信を容易にするために構成されたデバイス４００を示す。デバイス４００は、たとえば、図１、図２Ａ、および／または図２Ｂを参照しながら説明されたＭＴＣデバイス１１５の１つまたは複数の態様の一例であり得る。デバイス４００はまた、プロセッサでもあり得る。デバイス４００は、受信機４１０、ＭＴＣ情報処理モジュール４２０、および／または送信機４３０を含み得る。これらの構成要素の各々は、互いに通信中であり得る。場合によっては、これらの構成要素は、互いと統合されてよく、たとえば、ＭＴＣ情報処理モジュール４２０は、受信機４１０と統合され得る。
【００６８】
[0092]デバイス４００のこれらの構成要素は、個別にまたは集合的に、ハードウェア中の適用可能な機能の一部または全部を実施するように適合された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるためにフォーマットされた、メモリ中に組み込まれた命令を用いて実装され得る。言及されたモジュールの各々は、デバイス４００の動作に関係する１つまたは複数の機能を実施するための手段であり得る。
【００６９】
[0093]いくつかの実施形態では、ＭＴＣ情報処理モジュール４２０および／または受信機４１０は、ＭＴＣ物理ブロードキャストチャネルを介して送信された情報を受信するように構成され得る。ＭＴＣ物理ブロードキャストチャネルを介して受信された情報は、ＭＴＣ情報処理モジュール４２０および／または受信機４１０によって処理され得る。
【００７０】
[0094]場合によっては、ＭＴＣ物理ブロードキャストチャネルを介して送信された情報は、レガシー物理ブロードキャストチャネルから分離したサブフレーム内で受信される。ＭＴＣ物理ブロードキャストチャネルを介して送信された情報は、たとえば、サブフレームゼロ（ＳＦ０）ではなく、フレームの少なくとも第５のサブフレーム（ＳＦ５）内で受信され得る。ＭＴＣ物理ブロードキャストチャネルを介して送信された情報は、サブフレームの中央の６個のリソースブロック（ＲＢ）内で受信され得る。場合によっては、情報は、フレーム内で複数回受信され得る。
【００７１】
[0095]情報は、通常の物理ブロードキャストチャネルに対して、ＭＴＣ物理ブロードキャストチャネルのための低減されたペイロードを含み得る。ＭＴＣ物理ブロードキャストチャネルのための低減されたペイロードは、ダウンリンク帯域幅、システムフレーム番号、ＰＨＩＣＨ持続時間、ＰＨＩＣＨグループ、１つもしくは複数の予約済みビット、または、サイクリック冗長検査を反映するために利用される、低減された数の１つまたは複数のビットを含み得る。
【００７２】
[0096]ＭＴＣ情報処理モジュール４２０および／または受信機４１０は、ＭＴＣ物理ブロードキャストチャネルを介して、ＭＴＣ固有システム情報ブロックロケーションを受信するように構成され得る。ＭＴＣ情報処理モジュール４２０および／または受信機４１０は、ＭＴＣ物理ブロードキャストチャネルを介して、ＭＴＣシステムフレーム番号を受信するように構成され得る。ＭＴＣシステムフレーム番号は、通常のシステムフレーム番号よりも長いフレーム長にマッピングし得る。
【００７３】
[0097]ＭＴＣ情報処理モジュール４２０および／または受信機４１０において、ＭＴＣ物理ブロードキャストチャネルを介して送信された情報を受信することは、ＭＴＣ物理ブロードキャストチャネルを介して送信するためのページングインジケータを受信することを含み得る。ページングインジケータは、場合によっては、少なくとも１つのＭＴＣデバイスのためのページングがあるかどうかを示すために、１つの個別のビットを含み得る。ページングインジケータは、複数の異なるページンググループのためのページングがあるかどうかを示すために、複数のビットを含み得る。ＭＴＣ物理ブロードキャストチャネルを介して送信された情報を受信することは、ＭＴＣ物理ブロードキャストチャネルを介して送信されたシステム情報変更インジケータを受信することを含み得る。
【００７４】
[0098]いくつかの実施形態では、ＭＴＣ情報処理モジュール４２０および／または受信機４１０は、１つまたは複数のＭＴＣ固有システム情報ブロックを受信するように構成される。１つまたは複数のＭＴＣ固有システム情報ブロックは、ＭＴＣ情報処理モジュール４２０および／または受信機４１０において処理され得る。
【００７５】
[0099]ＭＴＣ情報処理モジュール４２０および／または受信機４１０において、１つまたは複数のＭＴＣ固有システム情報ブロックを受信することは、少なくとも１つのＭＴＣ固有システム情報ブロックに結合された、いくつかの他のシステム情報ブロックの各々からのシステム情報の一部分を含む、ＭＴＣ固有システム情報ブロックを受信することを含み得る。ＭＴＣ情報処理モジュール４２０および／または受信機４１０は、１つまたは複数のＭＴＣ固有システム情報ブロックの一部として、１つまたは複数のＭＴＣ関連フィールドを受信するように構成されてよく、それは、他のシステム情報ブロックからの１つまたは複数のフィールドを受信および復号する必要をなくすことができる。
【００７６】
[0100]場合によっては、１つまたは複数のＭＴＣ固有システム情報ブロックは、所定のロケーションにあり得る。所定のロケーションは、少なくともセルＩＤ、サイクリックプレフィックス長、分割デュプレックス構成の関数であり得る。ＭＴＣ情報処理モジュール４２０および／または受信機４１０は、ＭＴＣ物理ブロードキャストチャネルを介して、１つまたは複数のＭＴＣ固有システム情報ブロックの１つまたは複数のロケーションに関する情報を受信するように構成され得る。
【００７７】
[0101]いくつかの実施形態では、ＭＴＣ情報処理モジュール４２０および／または受信機４１０は、システム情報構成またはシステム情報構成における変更を示すためのカウンタを受信するように構成され得る。カウンタは、システム情報構成またはシステム情報における変更を反映するために、複数のビットを含み得る。システム情報構成またはシステム情報構成における変更は、ページングチャネルを介して受信されたカウンタを利用して、ＭＴＣ情報処理モジュール４２０および／または受信機４１０によって決定され得る。
【００７８】
[0102]いくつかの実施形態では、ＭＴＣ情報処理モジュール４２０および／または受信機４１０は、ＭＴＣデバイスのスリープ時間がある持続期間を超えると決定するように構成され得る。システム情報ブロックは、決定されたスリープ時間がその持続期間を超えるとき、ＭＴＣ情報処理モジュール４２０および／または受信機４１０によって読み取られ（たとえば、復号され）得る。
【００７９】
[0103]次に図５を参照すると、ブロック図は、様々な実施形態による、ワイヤレス通信システムにおいてマシンタイプ通信（ＭＴＣ）を容易にするために構成されたシステム５００を示す。システム５００は、図３のデバイス３００の一例であり得るデバイス３００−ａと、図４のデバイス４００の一例であり得るデバイス４００−ａとを含み得る。デバイス３００−ａおよび／または４００−ａはまた、プロセッサでもあり得る。デバイス３００−ａおよびデバイス４００−ａは、マシンタイプ通信を容易にすることの一部として、互いにワイヤレス通信中であり得る。
【００８０】
[0104]デバイス３００−ａは、受信機３１０、ＭＴＣ物理ブロードキャストチャネルモジュール３２０−ａ、および／または送信機３３０を含み得る。これらの構成要素の各々は、互いに通信中であり得る。場合によっては、これらの構成要素は、互いと統合されてよく、たとえば、ＭＴＣ物理ブロードキャストチャネルモジュール３２０−ａは、統合された送信機３３０であり得る。ＭＴＣ物理ブロードキャストチャネルモジュール３２０−ａは、ＭＴＣ−ＰＢＣＨ構成モジュール３２１、ＭＴＣ−ＰＢＣＨペイロード低減モジュール３２２、ＭＴＣ−ＰＢＣＨページング指示モジュール３２３、および／またはＭＴＣ−ＰＢＣＨシステム情報指示モジュール３２４を含み得る。
【００８１】
[0105]デバイス４００−ａは、受信機４１０、ＭＴＣ物理ブロードキャストチャネル処理モジュール４２０−ａ、および／または送信機４３０を含み得る。これらの構成要素の各々は、互いに通信中であり得る。場合によっては、これらの構成要素は、互いと統合されてよく、たとえば、ＭＴＣ物理ブロードキャストチャネル処理モジュール４２０−ａは、統合された受信機４１０であり得る。ＭＴＣ物理ブロードキャストチャネル処理モジュール４２０−ａは、ＭＴＣ−ＰＢＣＨ情報処理モジュール４２１、ＭＴＣ−ＰＢＣＨページング指示受信モジュール４２３、および／またはＭＴＣ−ＰＢＣＨシステム情報指示受信モジュール４２４を含み得る。
【００８２】
[0106]デバイス３００−ａおよび／または４００−ａのこれらの構成要素は、個別にまたは集合的に、ハードウェア中の適用可能な機能の一部または全部を実施するように適合された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるためにフォーマットされた、メモリ中に組み込まれた命令を用いて実装され得る。言及されたモジュールの各々は、デバイス３００−ａおよび／または４００−ａの動作に関係する１つまたは複数の機能を実施するための手段であり得る。
【００８３】
[0107]いくつかの実施形態では、ＭＴＣ物理ブロードキャストチャネルモジュール３２０−ａは、デバイス３００−ａのＭＴＣ−ＰＢＣＨ構成モジュール３２１および／または送信機３３０を通して、デバイス４００−ａへＭＴＣ物理ブロードキャストチャネルを介して送信するための情報を構成し得る。情報は、送信機３３０を通して、ＭＴＣ物理ブロードキャストチャネルを介して送信され得る。場合によっては、情報は、デバイス４００−ａのような、複数のデバイスへ送信される。たとえば、ＭＴＣ物理ブロードキャストチャネル処理モジュール４２０−ａは、デバイス４００−ａのＭＴＣ−ＰＢＣＨ情報処理モジュール４２１および／または受信機４１０を通して、ＭＴＣ物理ブロードキャストチャネルを介して送信された情報を受信するように構成され得る。ＭＴＣ物理ブロードキャストチャネルを介して受信された情報は、デバイス４００−ａのＭＴＣ−ＰＢＣＨ情報処理モジュール４２１および／または受信機４１０を通して、ＭＴＣ物理ブロードキャストチャネル処理モジュール４２０−ａによって処理され得る。
【００８４】
[0108]いくつかの実施形態では、ＭＴＣ物理ブロードキャストチャネルは、通常の物理ブロードキャストチャネルから分離したサブフレーム内で送信される。たとえば、ＭＴＣ物理ブロードキャストチャネルは、フレームの第５のサブフレーム（ＳＦ５）内で送信され得る。そして、それは、中央の６個のＲＢ内で送信され得る。
【００８５】
[0109]場合によっては、情報は、フレーム内で複数回送信される。たとえば、同じＭＴＣ物理ブロードキャストチャネルは、１０ｍｓフレーム内で繰り返されてよく、それはより良いリンクバジェットになり得る。場合によっては、拡張送信時間間隔（ＴＴＩ：extended transmission time intervals）（たとえば、複数のサブフレーム／シンボル）でのＭＴＣ物理ブロードキャストチャネルのバンドル送信が、１０ｍｓフレーム内で利用され得る。セル固有基準信号（ＣＲＳ）がＳＦ０およびＳＦ５中のみに存在し得るので、ＳＦ５が選ばれ得るが、他のサブフレームも同様に、ＭＴＣ物理ブロードキャストチャネルのために選ばれ得る。場合によっては、ＭＴＣ物理ブロードキャストチャネルロケーションは、物理的セル識別情報（ＰＣＩもしくはセルＩＤ）、および／またはサイクリックプレフィックス（ＣＰ）長の関数であり得る。いくつかの実施形態では、ＭＴＣ物理ブロードキャストチャネルは、固定数の送信アンテナポートを仮定して、ＣＲＳの周囲でレートが適合され（rate-matched）、たとえば、４個の送信アンテナを常に仮定する。いくつかの実施形態では、１つのアンテナのための単一の送信、または、２個もしくは４個のアンテナのための空間周波数ブロックコーディング（ＳＦＢＣ）が利用される。いくつかの実施形態は、たとえば、３から２へ低減された数のブラインド復号となり得る。
【００８６】
[0110]いくつかの実施形態では、ＭＴＣ物理ブロードキャストチャネルモジュール３２０−ａは、デバイス３００−ａのＭＴＣ−ＰＢＣＨペイロード低減モジュール３２２および／または送信機３３０を通して、ＭＴＣ物理ブロードキャストチャネルのためのペイロードを低減するために、ＭＴＣ物理ブロードキャストチャネルを介して送信するための情報を構成し得る。たとえば、ＭＴＣ物理ブロードキャストチャネルのペイロードは、典型的なＬＴＥ／ＬＴＥ−Ａ  ＰＢＣＨと比較して低減され得る。ＭＴＣ物理ブロードキャストチャネルのためのペイロードを低減することは、ダウンリンク帯域幅、システムフレーム番号、ＰＨＩＣＨ持続時間、ＰＨＩＣＨグループ、１つもしくは複数の予約済みビット、または、サイクリック冗長検査を反映するために利用される、ビットの数を低減することを含み得る。物理ブロードキャストチャネルペイロードにおけるこの低減は、典型的な、または「通常の」ＰＢＣＨの「除去」態様と呼ばれることがある。ＭＴＣ物理ブロードキャストチャネル処理モジュール４２０−ａは、デバイス４００−ａのＭＴＣ−ＰＢＣＨ情報処理構成モジュール４２１および／または受信機４１０を通して、ＭＴＣ物理ブロードキャストチャネルを介して送信された、低減されたペイロードを受信するように構成され得る。
【００８７】
[0111]いくつかの実施形態では、ペイロード低減実装ＭＴＣ物理ブロードキャストチャネルモジュール３２０−ａは、デバイス３００−ａのＭＴＣ−ＰＢＣＨペイロード低減モジュール３２２および／または送信機３３０を通して、一般に３ビットを有し得るダウンリンク帯域幅（ＤＬ  ＢＷ）ビットを除去することを含む。たとえば、デバイス３００−ａおよび／またはデバイス４００−ａは、通常のサービスのためのシステム帯域幅にかかわらず、１．４ＭＨｚの狭帯域動作をサポートし得る。ある実施形態では、デバイス３００−ａおよび／またはデバイス４００−ａは、少なくともセル探索において狭帯域動作をサポートし、その場合、帯域幅情報は、接続セットアップ中の後の段階でシグナリングされ得る。
【００８８】
[0112]デバイス３００−ａのＭＴＣ−ＰＢＣＨペイロード低減モジュール３２２および／または送信機３３０を通して実装されるペイロード低減は、ＰＨＩＣＨ持続時間ビット（一般に１ビットを含む）とＰＨＩＣＨグループビット（一般に２ビットを含む）とを除去することを含み得る。いくつかの例としては、ＨＡＲＱなし動作を利用することがある。場合によっては、ＭＴＣサブフレーム中で固定されたＰＨＩＣＨ持続時間とＰＨＩＣＨグループとを利用し得るデバイス３００−ａおよび／または４００−ａである。
【００８９】
[0113]デバイス３００−ａのＭＴＣ−ＰＢＣＨペイロード低減モジュール３２２および／または送信機３３０を通して実装されるペイロード低減は、１０ビットから予約済みビットを除去または低減することを含み得る。いくつかの実施形態では、サイクリック冗長検査（ＣＲＣ）ビットが、同じ（典型的には、１６ビット）に保たれるか、または、より小さいＣＲＣ（たとえば、８ビット）まで低減され得る。
【００９０】
[0114]いくつかの実施形態では、ペイロード低減が実装され、ＭＴＣ物理ブロードキャストチャネルモジュール３２０−ａは、デバイス３００−ａのＭＴＣ−ＰＢＣＨペイロード低減モジュール３２２および／または送信機３３０を通して、ＭＴＣ物理ブロードキャストチャネルを介してＭＴＣ固有システム情報ブロック（ＳＩＢ）ロケーションを示すことを含む。デバイス３００−ａのＭＴＣ−ＰＢＣＨペイロード低減モジュール３２２および／または送信機３３０は、ＭＴＣ物理ブロードキャストチャネルを介して、ＭＴＣシステムフレーム番号（ＳＦＮ）を送信するように構成されてよく、ＭＴＣシステムフレーム番号（ＳＦＮ）は、デバイス４００−ａの受信機４１０および／またはＭＴＣ−ＰＢＣＨ情報処理モジュール４２１によって受信および／または処理され得る。ＭＴＣシステムフレーム番号は、場合によっては、通常のシステムフレーム番号よりも長いフレーム長にマッピングし得る。
【００９１】
[0115]たとえば、ＳＦＮは、一般に、ブラインド復号のために８ビット＋２ビットを含む。いくつかの実施形態では、ＭＴＣ物理ブロードキャストチャネルは、ＳＦＮを含有し得る。これは、ＳＩＢおよび／またはページングロケーションを決定するための通常のＵＥ動作と同様であり得る。いくつかの実施形態では、ＭＴＣ物理ブロードキャストチャネルは、ＳＦＮを含有しないことがあるが、ＭＴＣ固有システム情報ブロックロケーションを指示するために１つまたは複数のビットを含み得る。たとえば、２ビットが、通常のＰＢＣＨに対して、ＭＴＣ固有システム情報ブロックの４個の可能なロケーションを指示するために利用され得る。いくつかの実施形態では、単一のビットが、ＳＩＢが現在の無線フレーム中に存在するか、ＭＴＣ無線フレーム中に存在するかを指示するために利用され得る。いくつかの実施形態では、より大きい細分性を有する、異なるＭＴＣシステムフレーム番号が送信され得る。ＳＦＮは、一般に、１０ｍｓのフレーム長を有し、ＭＴＣ  ＳＦＮは、たとえば、４０ｍｓのフレーム長を有し得る。ＭＴＣ  ＳＦＮ内のＭＴＣ物理ブロードキャストチャネルのためのより多くの繰返しが、結果として利用されてよく、ＳＦＮは、たとえば、２ビットだけ低減され得る。
【００９２】
[0116]いくつかの実施形態では、ＭＴＣ物理ブロードキャストチャネルは、他の目的のために利用され得る。たとえば、ＭＴＣ物理ブロードキャストチャネルモジュール３２０−ａは、デバイス３００−ａのＭＴＣ−ＰＢＣＨページング指示モジュール３２３および／または送信機３３０を通して、ページングインジケータを含み得る、ＭＴＣ物理ブロードキャストチャネルを介して送信するための情報を構成し得る。場合によっては、ページングインジケータは、少なくとも１つのＭＴＣデバイスのためのページングがあるかどうかを示すために、１つの個別ビットを含む。他のシナリオでは、ページングインジケータは、複数の異なるページンググループのためのページングがあるかどうかを示すために、複数のビットを含み得る。
【００９３】
[0117]ＭＴＣ物理ブロードキャストチャネル処理モジュール４２０−ａは、デバイス４００−ａのＭＴＣ−ＰＢＣＨページング指示受信モジュール４２３および／または受信４１０を通して、ＭＴＣ物理ブロードキャストチャネルを介して受信された、このページング指示を受信および利用し得る。たとえば、ウェイクアップごとに、ＭＴＣデバイス１１５は、デバイス４００−ａを通して、ＭＴＣ物理ブロードキャストチャネルを監視するのみでよい。ページングは、ＭＴＣ物理ブロードキャストチャネルを通して示され得る。実施形態の１つのセットでは、単一のビットが、任意のＭＴＣデバイス１１５のためのページングがあるかどうかを示し得る。ページングがある場合、ＭＴＣデバイス１１５は、場合によっては、デバイス４００−ａを通して、ページングチャネルを試み得る。ページングがない場合、ＭＴＣデバイス１１５は、ＭＴＣ物理ブロードキャストチャネルを読み取った（たとえば、復号した）後、スリープに戻り得る。いくつかの実施形態は、２つ以上のビットを利用し、そこで、複数のＭＴＣデバイス１１５（またはデバイス４００−ａ）は、異なるページンググループに分割され得る（たとえば、４個のページンググループに対して４ビット）。
【００９４】
[0118]いくつかの実施形態では、ＭＴＣ物理ブロードキャストチャネルモジュール３２０−ａは、デバイス３００−ａのＭＴＣ−ＰＢＣＨシステム情報指示モジュール３２４および／または送信機３３０を通して、システム情報変更インジケータを含み得る、ＭＴＣ物理ブロードキャストチャネルを介して送信するための情報を構成し得る。ＭＴＣ物理ブロードキャストチャネル処理モジュール４２０−ａは、デバイス４００−ａのＭＴＣ−ＰＢＣＨシステム情報指示受信モジュール４２４および／または受信４１０を通して、システム指示変更インジケータを受信および／または利用し得る。システム情報変更インジケータは、カウンタを利用し得る。たとえば、デバイス４００−ａのＭＴＣ−ＰＢＣＨシステム情報指示受信モジュール４２４および／または受信４１０が、カウンタが最後のウェイクアップと同じであることを発見する場合、これは、システム情報更新がないことを反映し得る。そうでない場合、デバイス４００−ａは、接続が必要とされ得る場合、ＭＴＣ固有システム情報ブロックを復号し得る。
【００９５】
[0119]いくつかの実施形態では、ＭＴＣ物理ブロードキャストチャネルモジュール３２０−ａは、デバイス３００−ａのＭＴＣ−ＰＢＣＨシステム情報指示モジュール３２４および／または送信機３３０を通して、ＭＴＣ物理ブロードキャストチャネルを介して送信するための情報を構成し得る。たとえば、ＰＤＣＣＨまたはｅＰＤＣＣＨ構成インジケータが作成され、ＭＴＣ物理ブロードキャストチャネルを介して送信され得る。この情報は、ＳＩＢスケジューリングのために利用され得る。場合によっては、ｅＰＤＣＣＨの開始ポイントは、たとえば、レガシー制御チャネル長に依存する。場合によっては、構成が固定されてよく、それは、失われる寸法を犠牲にし得る。他の場合には、構成は、ＰＢＣＨにおいてシグナリングされてよく、それは、リソースのより良い利用を可能にし得る。たとえば、ＰＤＣＣＨおよび／またはｅＰＤＣＣＨ構成を示すことは、ｅＰＤＣＣＨのための開始位置および／または周波数ロケーション、および／または、狭帯域ＰＤＣＣＨのための開始および終了位置を含み得る。ＰＤＣＣＨは、レガシー広帯域ＰＤＣＣＨ領域からシフトされ得るが、データで時分割多重化され得る、狭帯域ＰＤＣＣＨを含み得る。ｅＰＤＣＣＨは、データで周波数分割多重化され得る狭帯域ｅＰＤＣＣＨを含み得る。
【００９６】
[0120]次に図６を参照すると、ブロック図は、様々な実施形態による、ワイヤレス通信システムにおいてマシンタイプ通信（ＭＴＣ）を容易にするために構成されたシステム６００を示す。システム６００は、図３のデバイス３００の一例であり得るデバイス３００−ｂと、図４のデバイス４００の一例であり得るデバイス４００−ｂとを含み得る。デバイス３００−ｂおよび／または４００−ｂはまた、プロセッサでもあり得る。デバイス３００−ｂおよびデバイス４００−ｂは、マシンタイプ通信を容易にすることの一部として、互いにワイヤレス通信中であり得る。
【００９７】
[0121]デバイス３００−ｂは、受信機３１０、ＭＴＣシステム情報ブロックモジュール３２０−ｂ、および／または送信機３３０を含み得る。これらの構成要素の各々は、互いに通信中であり得る。場合によっては、これらの構成要素は、互いと統合されてよく、たとえば、ＭＴＣシステム情報ブロックモジュール３２０−ｂは、統合された送信機３３０であり得る。ＭＴＣシステム情報ブロックモジュール３２０−ｂ  ａは、ＭＴＣ−ＳＩＢ構成モジュール３２５および／またはＭＴＣ−ＰＢＣＨ  ＳＩＢ伝達モジュール３２６を含み得る。
【００９８】
[0122]デバイス４００−ｂは、受信機４１０、ＭＴＣシステム情報ブロックモジュール４２０−ｂ、および／または送信機４３０を含み得る。これらの構成要素の各々は、互いに通信中であり得る。場合によっては、これらの構成要素は、互いと統合されてよく、たとえば、ＭＴＣシステム情報ブロックモジュール４２０−ｂ  ａは、統合された受信機４１０であり得る。ＭＴＣシステム情報ブロックモジュール４２０−ｂは、ＭＴＣ−ＳＩＢ情報処理モジュール４２５および／またはＭＴＣ−ＳＩＢロケーション決定モジュール４２６を含み得る。
【００９９】
[0123]デバイス３００−ｂおよび／または４００−ｂのこれらの構成要素は、個別にまたは集合的に、ハードウェア中の適用可能な機能の一部または全部を実施するように適合された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるためにフォーマットされた、メモリ中に組み込まれた命令を用いて実装され得る。言及されたモジュールの各々は、デバイス３００−ｂおよび／または４００−ｂの動作に関係する１つまたは複数の機能を実施するための手段であり得る。
【０１００】
[0124]いくつかの実施形態では、ＭＴＣシステム情報ブロックモジュール３２０−ｂは、デバイス３００−ｂのＭＴＣ−ＳＩＢ構成モジュール３２５および／または送信機３３０を通して、１つまたは複数のＭＴＣ固有システム情報ブロックを構成し得る。ＭＴＣシステム情報ブロックモジュール３２０−ｂは、ＭＴＣ−ＳＩＢ構成モジュール３２５および／または送信機３３０を通して、デバイス４００−ｂへ、１つまたは複数のＭＴＣ固有システム情報ブロックを送信し得る。デバイス４００−ｂは、ＭＴＣ−ＳＩＢ情報処理モジュール４２５を通して、受信機４１０および／またはＭＴＣシステム情報ブロックモジュール４２０−ｂを通して、１つまたは複数のＭＴＣ固有システム情報ブロックを受信および／または処理し得る。
【０１０１】
[0125]デバイス３００−ｂのＭＴＣ−ＳＩＢ構成モジュール３２５および／または送信機３３０を通して、ＭＴＣシステム情報ブロックモジュール３２０−ｂを使用して、１つまたは複数のＭＴＣ固有システム情報ブロックを構成することは、いくつかの他のＳＩＢからのシステム情報（たとえば、フィールド）を、１つまたは複数のＭＴＣ固有システム情報ブロックのうちの１つに結合することを含み得る。追加または代替として、ＭＴＣ固有システム情報ブロックは、別のシステム情報ブロックにおいて利用可能な情報のサブセットからなり得る。いくつかの実施形態では、ＭＴＣシステム情報ブロックモジュール３２０−ｂは、デバイス３００−ｂのＭＴＣ−ＳＩＢ構成モジュール３２５および／または送信機３３０を通して、１つまたは複数の他のＳＩＢからの１つまたは複数の通常のフィールドを差し替えるために、１つまたは複数のＭＴＣ固有システム情報ブロックの一部として、１つまたは複数のＭＴＣフィールドを利用するように構成され得る。
【０１０２】
[0126]いくつかの実施形態では、複数のＳＩＢは、デバイス３００−ｂのＭＴＣ−ＳＩＢ構成モジュール３２５および／または送信機３３０を通して、ＭＴＣシステム情報ブロックモジュール３２０−ｂを利用して、１つまたは複数のＭＴＣ固有システム情報ブロックに結合および簡略化され得る。たとえば、ＳＩＢ１は、一般に、他のＳＩＢのためのアクセス情報とスケジューリング情報とを含む。ＳＩＢ２は、一般に、共通および共有チャネル情報を含む。ＳＩＢ１２は、一般に、ＭＴＣのための拡張アクセスバーリング（ＥＢＡ：extended access barring）情報を含む。ＭＴＣシステム情報ブロックモジュール３２０−ｂは、デバイス３００−ｂのＭＴＣ−ＳＩＢ構成モジュール３２５および／または送信機３３０を通して、ＳＩＢ１の強制リスト（mandatory list）をサポートすることを通して、ＳＩＢ１を第１のＭＴＣ固有システム情報ブロックまで低減し得るが、他のＳＩＢのためのスケジューリング情報は、将来の使用のために、１つの任意の第２のＭＴＣ固有システム情報ブロックまで低減され得る。いくつかの実施形態は、ＳＩＢ２を低減することができ、そのことは、ＰＵＳＣＨ、電力制御、および／またはタイマーとともに簡略化された設計を利用し、ＰＵＣＣＨおよび／またはＳＲＳなどのいくつかのチャネルを除去しながら、古いフィールド（たとえば、ＭＴＣ＿ＲＡＣＨ、ＭＴＣ＿ｐａｇｅ）を差し替えるために新しいフィールドを導入することを含み得る。いくつかの実施形態では、ＭＴＣ固有システム情報ブロックは、ＳＩＢ１２からのＥＢＡ情報を含み得る。
【０１０３】
[0127]場合によっては、デバイス３００−ｂおよび／または４００−ｂによって利用される１つまたは複数のＭＴＣ固有システム情報ブロックは、ＬＴＥ／ＬＴＥ−Ａサブフレーム内の１つまたは複数の所定のロケーションに置かれ得る。ＭＴＣ固有システム情報ブロックは、所定のリソースブロック（ＲＢ）ならびに／または変調およびコーディング方式（ＭＣＳ）で構成され得る。場合によっては、サブフレームロケーションおよび／またはＲＢは、セルＩＤの関数であり得る。それらはまた、周波数分割デュプレックス（ＦＤＤ）対時分割デュプレックス（ＴＤＤ）など、分割デュプレックス構成の関数でもあり得る。ＭＴＣ固有システム情報ブロックのロケーションおよび／またはＲＢは、ノーマルＣＰ（ＮＣＰ）対拡張ＣＰ（ＥＣＰ）など、サイクリックプレフィックス（ＣＰ）長の関数であり得る。いくつかの実施形態は、デバイス３００−ｂのＭＴＣ−ＰＢＣＨ  ＳＩＢ伝達モジュール３２６を利用して、１つまたは複数のＭＴＣ固有システム情報ブロックの１つまたは複数のロケーションに関する情報を伝達するために、ＭＴＣ物理ブロードキャストチャネルを利用することを含む。デバイス４００−ｂのＭＴＣ−ＳＩＢロケーション決定モジュール４２６は、ＭＴＣ  ＳＩＢのロケーションを決定するためにこの情報を利用し得る。たとえば、ＭＴＣ物理ブロードキャストチャネルは、ＳＩＢ１構成情報を伝達することができ、ＳＩＢ１構成情報は、ＭＴＣ固有システム情報ブロックのためのタイミングおよび／またはＲＢ情報を含み得る。
【０１０４】
[0128]次に図７を参照すると、ブロック図は、様々な実施形態による、ワイヤレス通信システムにおいてマシンタイプ通信（ＭＴＣ）を容易にするために構成されたシステム７００を示す。システム７００は、図３のデバイス３００の一例であり得るデバイス３００−ｃと、図４のデバイス４００の一例であり得るデバイス４００−ｃとを含み得る。デバイス３００−ｃおよび／または４００−ｃはまた、プロセッサでもあり得る。デバイス３００−ｃおよびデバイス４００−ｃは、マシンタイプ通信を容易にすることの一部として、互いにワイヤレス通信中であり得る。
【０１０５】
[0129]デバイス３００−ｃは、受信機３１０、ＭＴＣシステム情報指示モジュール３２０−ｃ、および／または送信機３３０を含み得る。これらの構成要素の各々は、互いに通信中であり得る。場合によっては、これらの構成要素は、互いと統合されてよく、たとえば、ＭＴＣシステム情報指示モジュール３２０−ｃは、統合された送信機３３０であり得る。ＭＴＣシステム情報指示モジュール３２０−ｃは、ＭＴＣ−ＳＩＢ決定モジュール３２７および／またはＭＴＣ−ＳＩＢ更新カウンタモジュール３２８を含み得る。
【０１０６】
[0130]デバイス４００−ｃは、受信機４１０、ＭＴＣシステム情報更新決定モジュール４２０−ｃ、および／または送信機４３０を含み得る。これらの構成要素の各々は、互いに通信中であり得る。場合によっては、これらの構成要素は、互いと統合されてよく、たとえば、ＭＴＣシステム情報更新決定モジュール４２０−ｃは、統合された受信機４１０であり得る。ＭＴＣシステム情報更新決定モジュール４２０−ｃは、ＭＴＣタイミングモジュール４２７および／またはＭＴＣ−ＳＩＢ更新カウンタ決定モジュール４２８を含み得る。
【０１０７】
[0131]デバイス３００−ｃおよび／または４００−ｃのこれらの構成要素は、個別にまたは集合的に、ハードウェア中の適用可能な機能の一部または全部を実施するように適合された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるためにフォーマットされた、メモリ中に組み込まれた命令を用いて実装され得る。言及されたモジュールの各々は、デバイス３００−ｃおよび／または４００−ｃの動作に関係する１つまたは複数の機能を実施するための手段であり得る。
【０１０８】
[0132]いくつかの実施形態では、ＭＴＣシステム情報指示モジュール３２０−ｃは、ＭＴＣ−ＳＩＢ決定モジュール３２７および／または送信機モジュール３３０を通して、複数のシステム情報構成から、システム情報構成を決定し得る。カウンタは、システム情報構成またはシステム情報構成における変更を示すために、ＭＴＣ−ＳＩＢ更新カウンタモジュール３２８および／または送信機３３０を通して構成および／または送信され得る。カウンタは、システム情報構成または決定されたシステム情報における変更を反映するために、１つまたは複数のビットを含み得る。ＭＴＣシステム情報更新決定モジュール４２０−ｃは、デバイス４００−ｃのＭＴＣ−ＳＩＢ更新カウンタ決定モジュール４２８および／または受信機モジュール４１０を通して、システム情報構成またはシステム情報構成における変更を示すためのカウンタを受信するように構成され得る。システム情報構成またはシステム情報構成における変更は、ページングチャネルを介して受信されたカウンタを利用して、デバイス４００−ｃのＭＴＣ−ＳＩＢ更新カウンタ決定モジュール４２８および／または受信機モジュール４１０によって決定され得る。
【０１０９】
[0133]たとえば、カウンタは、複数のビットを利用して、システム情報更新を示すために、ページに追加され得る。デバイス４００−ｃは、カウンタを受信し、読み取るために、低い頻度でウェイクアップし得る。受信されたカウンタが前のウェイクアップとは異なる場合、デバイス４００−ｃは、システム情報が変更になったと決定し得る。たとえば、システム情報が変更になるときは常に、カウンタが増分（たとえば、１のカウントだけ増分）され得る。デバイス４００−ｃは、したがって、増分されたカウンタを受信する場合、システム情報が前のウェイクアップから変更になったと決定するように構成され得る。場合によっては、カウンタは、システム情報構成における変更と、更新されたシステム情報構成の両方を示し得る。たとえば、カウンタは、デバイス４００−ｃが識別するように構成され得る、１６個の異なるシステム情報構成にマッピングするための４ビットを含み得る。
【０１１０】
[0134]様々な実施形態では、異なるチャネルを介して、デバイス３００−ｃはカウンタを伝達することができ、デバイス４００−ｃはカウンタを受信することができる。たとえば、カウンタは、ページングチャネルを介して、ＰＢＣＨを介して、またはＭＴＣ物理ブロードキャストチャネルを介して、伝達および受信され得る。カウンタはまた、ＭＴＣ固有ＳＩＢなど、ＳＩＢ中に含まれ、ＳＩＢから復号され得る。
【０１１１】
[0135]いくつかの実施形態では、ＭＴＣシステム情報更新決定モジュール４２０−ｃは、デバイス４００−ｃのＭＴＣタイミングモジュール４２７および／または受信機モジュール４１０を通して、ＭＴＣデバイスのスリープ時間がある持続期間を超えると決定するように構成され得る。システム情報ブロックは、決定されたスリープ時間がその持続期間を超えるとき、ＭＴＣシステム情報更新決定モジュール４２０−ｃおよび／または受信機４１０によって読み取られ得る。たとえば、デバイス４００−ｃが、特定の持続期間を超えるスリープ時間を有する場合、デバイス４００−ｃは、システム情報が変更になったと仮定することができ、そのような決定を行うと、ＳＩＢ（たとえば、ＭＴＣ固有ＳＩＢ）を読み取ることができる。場合によっては、デバイス４００−ｃは、数秒、数分、またはそれ以上の程度であり得る、スリープ持続期間でプログラムされる。
【０１１２】
[0136]図８は、様々な実施形態による、ＭＴＣデバイス１１５−ｃとのマシンタイプ通信を容易にするように構成された通信システム８００のブロック図を示す。このシステム８００は、図１に示されたシステム１００、および／または、図２Ａおよび図２Ｂのシステム２００の態様の一例であり得る。システム８００は、基地局１０５−ｃを含み得る。基地局１０５−ｃは、アンテナ８４５と、トランシーバモジュール８５０と、プロセッサモジュール８７０と、メモリ８８０とを含み得、その各々は、（たとえば、１つまたは複数のバスを介して）互いに直接または間接的に通信中であり得る。トランシーバモジュール８５０は、マルチモードＭＴＣデバイスであり得るＭＴＣデバイス１１５−ｃと、アンテナ８４５を介して、双方向に通信するように構成され得る。トランシーバモジュール８５０（および／または、基地局１０５−ｃの他の構成要素）はまた、１つまたは複数のネットワークと双方向に通信するようにも構成され得る。場合によっては、基地局１０５−ｃは、ネットワーク通信モジュール８７５を通してコアネットワーク１３０−ａおよび／またはコントローラ１２０−ａと通信し得る。基地局１０５−ｃは、ｅノードＢ基地局、ホームｅノードＢ基地局、ノードＢ基地局、および／またはホームノードＢ基地局の一例であり得る。コントローラ１２０−ａは、ｅノードＢ基地局となど、場合によっては基地局１０５−ｃに組み込まれ得る。
【０１１３】
[0137]基地局１０５−ｃはまた、基地局１０５−ｍおよび基地局１０５−ｎなどの他の基地局１０５とも通信し得る。基地局１０５の各々は、様々な無線アクセス技術などの様々なワイヤレス通信技術を使用して、ＭＴＣデバイス１１５−ｃと通信し得る。場合によっては、基地局１０５−ｃは、基地局通信モジュール８６５を利用して、１０５−ｍおよび／または１０５−ｎなどの他の基地局と通信し得る。いくつかの実施形態では、基地局通信モジュール８６５は、基地局１０５のいくつかの間の通信を行うために、ＬＴＥ／ＬＴＥ−Ａワイヤレス通信技術内でＸ２インターフェースを提供し得る。いくつかの実施形態では、基地局１０５−ｃは、コントローラ１２０−ａおよび／またはコアネットワーク１３０−ａを通して、他の基地局と通信し得る。
【０１１４】
[0138]メモリ８８０は、ランダムアクセスメモリ（ＲＡＭ）と読取り専用メモリ（ＲＯＭ）とを含み得る。メモリ８８０はまた、実行されるとプロセッサモジュール８７０に本明細書で説明される様々な機能（たとえば、ＭＴＣデバイス１１５−ｃからの通信の処理、メッセージルーティングなど）を実施させるように構成された命令を含んでいるコンピュータ可読、コンピュータ実行可能ソフトウェアコード８８５も記憶し得る。代替的に、ソフトウェアコード８８５は、プロセッサモジュール８７０によって直接的に実行可能でないことがあるが、たとえば、コンパイルされ実行されるとき、本明細書で説明される機能をコンピュータに実施させるように構成され得る。
【０１１５】
[0139]プロセッサモジュール８７０は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などを含み得る。トランシーバモジュール８５０は、パケットを変調し、変調されたパケットを送信のためにアンテナ８４５に与え、アンテナ８４５から受信されたパケットを復調するように構成されたモデムを含み得る。基地局１０５−ｃのいくつかの例は、単一のアンテナ８４５を含み得るが、基地局１０５−ｃは、キャリアアグリゲーションをサポートし得る、複数のリンクのための複数のアンテナ８４５を含み得る。たとえば、ＭＴＣデバイス１１５−ｃとのマクロ通信をサポートするために、１つまたは複数のリンクが使用され得る。
【０１１６】
[0140]図８のアーキテクチャによれば、基地局１０５−ｃは、通信管理モジュール８６０をさらに含み得る。通信管理モジュール８６０は、他の基地局１０５との通信を管理し得る。例として、通信管理モジュール８６０は、バスを介して基地局１０５−ｃの他の構成要素の一部または全部と通信する、基地局１０５−ｃの構成要素であり得る。代替的に、通信管理モジュール８６０の機能は、トランシーバモジュール８５０の構成要素として、コンピュータプログラム製品として、および／または、プロセッサモジュール８７０の１つもしくは複数のコントローラ要素として実装され得る。
【０１１７】
[0141]基地局１０５−ｃは、図３、図５、図６、および／または図７のデバイス３００に関してマシンタイプ通信を容易にすることとともに上記で説明された態様を実装するように構成されてよく、簡潔のためにここではイー繰り返されないことがある。たとえば、基地局１０５−ｃは、ＭＴＣ  ＰＢＣＨモジュール３２０−ａ−ｉを含んでよく、ＭＴＣ  ＰＢＣＨモジュール３２０−ａ−ｉは、図３のＭＴＣ情報構成モジュール３２０および／または図５のＭＴＣ物理ブロードキャストチャネルモジュール３２０−ａの一例であり得る。基地局１０５−ｃは、ＭＴＣ  ＳＩＢモジュール３２０−ｂ−ｉを含んでよく、ＭＴＣ  ＳＩＢモジュール３２０−ｂ−ｉは、図３のＭＴＣ情報構成モジュール３２０および／または図６のＭＴＣシステム情報ブロックモジュール３２０−ｂの一例であり得る。基地局１０５−ｃは、ＭＴＣシステム情報指示モジュール３２０−ｃ−ｉを含んでよく、ＭＴＣシステム情報指示モジュール３２０−ｃ−ｉは、図３のＭＴＣ情報構成モジュール３２０および／または図７のＭＴＣシステム情報指示モジュール３２０−ｃの一例であり得る。
【０１１８】
[0142]基地局１０５−ｃの構成要素は、個別にまたは集合的に、ハードウェア中の適用可能な機能の一部または全部を実施するように適合された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるためにフォーマットされた、メモリ中に組み込まれた命令を用いて実装され得る。言及されたモジュールの各々は、基地局１０５−ｃの動作に関係する１つまたは複数の機能を実施するための手段であり得る。
【０１１９】
[0143]図９は、様々な実施形態による、マシンタイプ通信を容易にするために構成されたＭＴＣデバイス１１５−ｄのブロック図９００である。ＭＴＣデバイス１１５−ｄは、ＭＴＣデバイス１１５−ｄに関連付けられたモニタ、メーター、および／または他のデバイスに関係する１つまたは複数の状態を検知するために、上記で説明されたように、様々な構成のいずれかを有し、１つまたは複数の他のデバイスと結合され得る。ＭＴＣデバイス１１５−ｄは、モバイル動作を可能にするために、小型バッテリーなど、内部電源（図示せず）を有し得る。いくつかの実施形態では、ＭＴＣデバイス１１５−ｄは、図１、図２Ａ、図２Ｂ、図８、および／または図１０のＭＴＣデバイス１１５であり得る。ＭＴＣデバイス１１５−ｄは、場合によっては、ＭＴＣ  ＵＥまたはＭ２Ｍデバイスと呼ばれることがある。
【０１２０】
[0144]ＭＴＣデバイス１１５−ｄは、いくつかの実施形態では、センサー９１５を含み得る。ＭＴＣデバイス１１５−ｄはまた、アンテナ９４５と、トランシーバモジュール９５０と、プロセッサモジュール９７０と、メモリ９８０とを含み、その各々は、（たとえば、１つまたは複数のバスを介して）互いに直接または間接的に通信中であり得る。トランシーバモジュール９５０は、上記で説明されたように、１つまたは複数のネットワークと、アンテナ９４５および／または１つもしくは複数のワイヤードもしくはワイヤレスリンクを介して、双方向に通信するように構成され得る。たとえば、トランシーバモジュール９５０は、図１、図２Ａ、図２Ｂ、図８、および／または図１０の基地局１０５と双方向に通信するように構成され得る。トランシーバモジュール９５０は、パケットを変調し、変調されたパケットを送信のためにアンテナ９４５に与え、アンテナ９４５から受信されたパケットを復調するように構成されたモデムを含み得る。ＭＴＣデバイス１１５−ｄは、単一のアンテナ９４５を含み得るが、ＭＴＣデバイス１１５−ｄは、複数の送信リンクのための複数のアンテナ９４５を含み得る。
【０１２１】
[0145]メモリ９８０は、ランダムアクセスメモリ（ＲＡＭ）と読取り専用メモリ（ＲＯＭ）とを含み得る。メモリ９８０は、実行されるとプロセッサモジュール９７０に本明細書で説明される様々な機能（たとえば、ＭＴＣ固有システム情報ブロックを処理する、スリープ時間を決定する、システム情報構成またはシステム情報構成における変更を決定するなど）を実施させるように構成された命令を含んでいるコンピュータ可読、コンピュータ実行可能ソフトウェアコード９８５を記憶し得る。代替的に、ソフトウェアコード９８５は、プロセッサモジュール９７０によって直接的に実行可能でないことがあるが、（たとえば、コンパイルされ実行されるとき）本明細書で説明される機能をコンピュータに実施させるように構成され得る。
【０１２２】
[0146]プロセッサモジュール９７０は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などを含み得る。図９のアーキテクチャによれば、モバイルデバイス１１５−ｄは、通信管理モジュール９６０をさらに含み得る。通信管理モジュール９６０は、基地局１０５および／または他のＭＴＣデバイス１１５との通信を管理し得る。例として、通信管理モジュール９６０は、バスを介してモバイルデバイス１１５−ｄの他の構成要素の一部または全部と通信している、ＭＴＣデバイス１１５−ｄの構成要素であり得る。代替的に、通信管理モジュール９６０の機能は、トランシーバモジュール９５０の構成要素として、コンピュータプログラム製品として、および／または、プロセッサモジュール９７０の１つもしくは複数のコントローラ要素として実装され得る。
【０１２３】
[0147]ＭＴＣデバイス１１５−ｄは、図４、図５、図６、および／または図７のデバイス４００に関して説明されたように、マシンタイプ通信を容易にするように構成されてよく、簡潔のためにここでは繰り返されないことがある。たとえば、ＭＴＣデバイス１１５−ｄは、ＭＴＣ  ＰＢＣＨ処理モジュール４２０−ａ−ｉを含んでよく、ＭＴＣ  ＰＢＣＨ処理モジュール４２０−ａ−ｉは、図４のＭＴＣ情報処理モジュール４２０および／または図５のＭＴＣ物理ブロードキャストチャネル処理モジュール４２０−ａの一例であり得る。ＭＴＣデバイス１１５−ｄは、ＭＴＣ  ＳＩＢモジュール４２０−ｂ−ｉを含んでよく、ＭＴＣ  ＳＩＢモジュール４２０−ｂ−ｉは、図４のＭＴＣ情報処理モジュール４２０および／または図６のＭＴＣシステム情報ブロックモジュール４２０−ｂの一例であり得る。ＭＴＣデバイス１１５−ｄは、ＭＴＣシステム情報更新決定モジュール４２０−ｃ−ｉを含んでよく、ＭＴＣシステム情報更新決定モジュール４２０−ｃ−ｉは、図４のＭＴＣ情報処理モジュール４２０および／または図７のＭＴＣシステム情報更新決定モジュール４２０−ｃの一例であり得る。
【０１２４】
[0148]ＭＴＣデバイス１１５−ｄの構成要素は、個別にまたは集合的に、ハードウェア中の適用可能な機能の一部または全部を実施するように適合された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるためにフォーマットされた、メモリ中に組み込まれた命令を用いて実装され得る。言及されたモジュールの各々は、ＭＴＣデバイス１１５−ｄの動作に関係する１つまたは複数の機能を実施するための手段であり得る。
【０１２５】
[0149]図１０は、様々な実施形態による、基地局１０５−ｄとモバイルデバイス１１５−ｅとを含むシステム１０００のブロック図である。このシステム１０００は、図１のシステム１００、図２Ａのシステム２００−ａ、図２Ｂのシステム２００−ｂ、図５のシステム５００、図６のシステム６００、図７のシステム７００、および／または図８のシステム８００の一例であり得る。基地局１０５−ｄは、アンテナ１０３４−ａ〜１０３４−ｘを搭載してよく、モバイルデバイス１１５−ｅは、アンテナ１０５２−ａ〜１０５２−ｎを搭載してよい。基地局１０５−ｆにおいて、送信プロセッサ１０２０がデータソースからデータを受信し得る。
【０１２６】
[0150]送信機プロセッサ１０２０は、データを処理し得る。送信機プロセッサ１０２０はまた、基準シンボルとＣＲＳとを生成し得る。送信（ＴＸ）ＭＩＭＯプロセッサ１０３０は、適用可能な場合、データシンボル、制御シンボル、および／または基準シンボルに対して空間処理（たとえば、プリコーディング）を実行し得、出力シンボルストリームを送信変調器１０３２−ａ〜１０３２−ｘに与え得る。各変調器１０３２は、（たとえば、ＯＦＤＭなどのために）それぞれの出力シンボルストリームを処理して、出力サンプルストリームを取得し得る。各変調器１０３２は、出力サンプルストリームをさらに処理（たとえば、アナログ変換、増幅、フィルタ処理、およびアップコンバート）して、ダウンリンク（ＤＬ）信号を取得し得る。一例では、変調器１０３２−ａ〜１０３２−ｘからのＤＬ信号は、それぞれ、アンテナ１０３４−ａ〜１０３４−ｘを介して送信され得る。送信機プロセッサ１０２０は、プロセッサ１０４０から情報を受信し得る。いくつかの実施形態では、プロセッサ１０４０は、汎用プロセッサ、送信機プロセッサ１０２０、および／または受信機プロセッサ１０３８の一部として実装され得る。メモリ１０４２がプロセッサ１０４０に結合され得る。
【０１２７】
[0151]いくつかの実施形態では、プロセッサ１０４０および／またはＭＴＣ情報構成モジュール１０４４は、ＭＴＣデバイス１１５−ｅと通信するように構成される。プロセッサ１０４０および／またはＭＴＣ情報構成モジュール１０４４は、ＭＴＣ物理ブロードキャストチャネルを介して送信するための情報を構成し得る。情報は、送信機１０３２を通して、ＭＴＣ物理ブロードキャストチャネルを介して送信され得る。場合によっては、情報は、複数のＭＴＣデバイスへ送信され得る。
【０１２８】
[0152]いくつかの実施形態では、ＭＴＣ物理ブロードキャストチャネルは、通常の物理ブロードキャストチャネルから分離したサブフレーム内で送信される。ＭＴＣ物理ブロードキャストチャネルは、フレームの第５のサブフレーム（ＳＦ５）内、および、中央の６個のＲＢ内で送信され得る。場合によっては、情報は、フレーム内で複数回送信される。
【０１２９】
[0153]プロセッサ１０４０および／またはＭＴＣ情報構成モジュール１０４４は、通常の物理ブロードキャストチャネルに対して、ＭＴＣ物理ブロードキャストチャネルのためのペイロードを低減することを含むように、ＭＴＣ物理ブロードキャストチャネルを介して送信するための情報を構成し得る。ＭＴＣ物理ブロードキャストチャネルのためのペイロードを低減することは、通常の物理ブロードキャストチャネルに対して、ダウンリンク帯域幅、システムフレーム番号、物理ハイブリッドＡＲＱインジケータチャネル（ＰＨＩＣＨ）持続時間、ＰＨＩＣＨグループ、１つもしくは複数の予約済みビット、または、サイクリック冗長検査を反映するために利用される、１つまたは複数のビットを除去することを含み得る。
【０１３０】
[0154]プロセッサ１０４０および／またはＭＴＣ情報構成モジュール１０４４は、ＭＴＣ物理ブロードキャストチャネルを介して、ＭＴＣ固有システム情報ブロックロケーションを指示するように構成され得る。プロセッサ１０４０および／またはＭＴＣ情報構成モジュール１０４４は、ＭＴＣ物理ブロードキャストチャネルを介して、ＭＴＣシステムフレーム番号を送信するように構成され得る。ＭＴＣシステムフレーム番号は、通常のシステムフレーム番号よりも長いフレーム長にマッピングし得る。
【０１３１】
[0155]プロセッサ１０４０および／またはＭＴＣ情報構成モジュール１０４４を通して、ＭＴＣ物理ブロードキャストチャネルを介して送信するための情報を構成することは、ＭＴＣ物理ブロードキャストチャネルを介して送信するためのページングインジケータを構成することを含み得る。ページングインジケータは、場合によっては、少なくとも１つのＭＴＣデバイスのためのページングがあるかどうかを示すために、１つの個別ビットを含み得る。ページングインジケータは、他の場合には、複数の異なるページンググループのためのページングがあるかどうかを示すために、複数のビットを含み得る。ＭＴＣ物理ブロードキャストチャネルを介して送信するための情報を構成することは、ＭＴＣ物理ブロードキャストチャネルを介して送信するための、カウンタなどのシステム情報変更インジケータを構成することを含み得る。
【０１３２】
[0156]いくつかの実施形態では、プロセッサ１０４０および／またはＭＴＣ情報構成モジュール１０４４は、１つまたは複数のＭＴＣ固有システム情報ブロックを構成し得る。送信機１０３２は、複数のＭＴＣデバイスへ、１つまたは複数のＭＴＣ固有システム情報ブロックを送信し得る。
【０１３３】
[0157]プロセッサ１０４０および／またはＭＴＣ情報構成モジュール１０４４を通して、１つまたは複数のＭＴＣシステム情報ブロックを構成することは、複数の他のシステム情報ブロックの各々からの一部分を、１つまたは複数のＭＴＣシステム情報ブロックのうちの少なくとも１つに結合することを含み得る。複数の通常のシステム情報ブロックの各々からの一部分を、ＭＴＣ固有システム情報ブロックに結合することは、他のシステム情報ブロックのうちの１つから別の部分を除去することを含み得る。または、それは、別のシステム情報ブロックからシステム情報のサブセットを選択することを伴い得る。
【０１３４】
[0158]プロセッサ１０４０および／またはＭＴＣ情報構成モジュール１０４４は、他のシステム情報ブロックからのフィールドを差し替えるために、ＭＴＣ固有システム情報ブロックの一部として、１つまたは複数のＭＴＣフィールドを利用するように構成され得る。
【０１３５】
[0159]場合によっては、ＭＴＣ固有システム情報ブロックは、１つまたは複数の所定のロケーションに置かれる。所定のロケーションは、セルＩＤ、サイクリックプレフィックス長、または分割デュプレックス構成の関数であり得る。いくつかの実施形態は、１つまたは複数のＭＴＣシステム情報ブロックの１つまたは複数のロケーションに関する情報を伝達するために、ＭＴＣ物理ブロードキャストチャネルを利用することを含む。
【０１３６】
[0160]いくつかの実施形態では、プロセッサ１０４０および／またはＭＴＣ情報構成モジュール１０４４は、複数のシステム情報構成からシステム情報構成を決定し得る。カウンタは、システム情報構成またはシステム情報構成における変更を示すために送信されるために、プロセッサ１０４０および／またはＭＴＣ情報構成モジュール１０４４を通して構成および／または送信され得る。カウンタは、決定されたシステム情報構成または決定されたシステム情報における変更を反映するために、複数のビットを含み得る。
【０１３７】
[0161]ＭＴＣデバイス１１５−ｅにおいて、モバイルデバイスアンテナ１０５２−ａ〜１０５２−ｎは、基地局１０５−ｄからＤＬ信号を受信することができ、受信された信号を復調器１０５４−ａ〜１０５４−ｎにそれぞれ与えることができる。各復調器１０５４は、それぞれの受信信号を調整（たとえば、フィルタ処理、増幅、ダウンコンバート、およびデジタル化）して、入力サンプルを取得し得る。各復調器１０５４は、（たとえば、ＯＦＤＭなどの）入力サンプルをさらに処理して、受信されたシンボルを取得し得る。ＭＩＭＯ検出器１０５６は、すべての復調器１０５４−ａ〜１０５４−ｎから受信されたシンボルを取得し、適用可能な場合は受信されたシンボルに対してＭＩＭＯ検出を実施し、検出されたシンボルを与え得る。受信機プロセッサ１０５８は、検出されたシンボルを処理（たとえば、復調、デインターリーブ、および復号）して、ＭＴＣデバイス１１５−ｅのための復号されたデータをデータ出力に与えて、復号された制御情報をプロセッサ１０８０、またはメモリ１０８２に与え得る。
【０１３８】
[0162]アップリンク（ＵＬ）上で、ＭＴＣデバイス１１５−ｅにおいて、送信機プロセッサ１０６４がデータソースからデータを受信し、処理し得る。送信機プロセッサ１０６４はまた、基準信号のための基準シンボルを生成し得る。送信機プロセッサ１０６４からのシンボルは、適用可能な場合、送信ＭＩＭＯプロセッサ１０６６によってプリコーディングされ、（たとえば、ＳＣ−ＦＤＭＡなどのために）復調器１０５４−ａ〜１０５４−ｎによってさらに処理され、基地局１０５−ｆから受信された送信パラメータに従って基地局１０５−ｄに送信され得る。送信機プロセッサ１０６４は、上記で説明された実施形態に従って、ＭＴＣデバイス１１５−ｅに関連付けられたセンサー、メーター、または他のデバイスから情報を取得し、送信のために情報をパッケージ化するように構成され得る。基地局１０５−ｄにおいて、ＭＴＣデバイス１１５−ｅからのＵＬ信号は、アンテナ１０３４によって受信され、復調器１０３２によって処理され、適用可能である場合、ＭＩＭＯ検出器１０３６によって検出され、受信プロセッサによってさらに処理され得る。受信プロセッサ１０３８は、復号されたデータをデータ出力とプロセッサ１０８０とに与え得る。いくつかの実施形態では、プロセッサ１０８０は、汎用プロセッサ、送信機プロセッサ１０６４、および／または受信機プロセッサ１０５８の一部として実装され得る。
【０１３９】
[0163]いくつかの実施形態では、プロセッサ１０８０および／またはＭＴＣ情報処理モジュール１０８４は、ＭＴＣ物理ブロードキャストチャネルを介して送信された情報を受信するように構成され得る。ＭＴＣ物理ブロードキャストチャネルを介して受信された情報は、プロセッサ１０８０および／またはＭＴＣ情報処理モジュール１０８４によって処理され得る。
【０１４０】
[0164]場合によっては、ＭＴＣ物理ブロードキャストチャネルを介して送信された情報は、通常の物理ブロードキャストチャネルから分離したサブフレーム内で受信される。ＭＴＣ物理ブロードキャストチャネルを介して送信された情報は、たとえば、フレームの第５のサブフレーム（ＳＦ５）内で受信され得る。ＭＴＣ物理ブロードキャストチャネルを介して送信された情報は、サブフレームの中央の６個のＲＢ内で受信され得る。場合によっては、情報は、フレーム内で複数回受信され得る。
【０１４１】
[0165]情報は、通常の物理ブロードキャストチャネルに対して、ＭＴＣ物理ブロードキャストチャネルのための低減されたペイロードを含み得る。ＭＴＣ物理ブロードキャストチャネルのための低減されたペイロードは、通常の物理ブロードキャストチャネルに対して、ダウンリンク帯域幅、システムフレーム番号、物理ハイブリッドＡＲＱインジケータチャネル（ＰＨＩＣＨ）持続時間、ＰＨＩＣＨグループ、１つもしくは複数の予約済みビット、または、サイクリック冗長検査を反映するために利用される、低減された数の１つまたは複数のビットを含み得る。
【０１４２】
[0166]プロセッサ１０８０および／またはＭＴＣ情報処理モジュール１０８４は、ＭＴＣ物理ブロードキャストチャネルを介して、ＭＴＣシステム情報ブロックロケーションを受信するように構成され得る。ＭＴＣ情報処理モジュール１０８４および／または受信機プロセッサ１０５８は、ＭＴＣ物理ブロードキャストチャネルを介して、ＭＴＣシステムフレーム番号を受信するように構成され得る。ＭＴＣシステムフレーム番号は、通常のシステムフレーム番号よりも長いフレーム長にマッピングし得る。
【０１４３】
[0167]プロセッサ１０８０および／またはＭＴＣ情報構成モジュール１０８４において、ＭＴＣ物理ブロードキャストチャネルを介して送信された情報を受信することは、ＭＴＣ物理ブロードキャストチャネルを介して送信されたインジケータを受信することを含み得る。インジケータは、ＭＴＣデバイス１１５−ｅのためのページングがあるかどうかを指示するために、個別のビットを含み得る。ページングインジケータは、複数の異なるページンググループのためのページングがあるかどうかを指示するために、複数のビットを含み得る。ＭＴＣ物理ブロードキャストチャネルを介して送信された情報を受信することは、ＭＴＣ物理ブロードキャストチャネルを介して送信された、カウンタなどのシステム情報変更インジケータを受信することを含み得る。
【０１４４】
[0168]いくつかの実施形態では、プロセッサ１０８０および／またはＭＴＣ情報処理モジュール１０８４は、１つまたは複数のＭＴＣシステム情報ブロックを受信するように構成され得る。１つまたは複数のＭＴＣシステム情報ブロックは、プロセッサ１０８０および／またはＭＴＣ情報処理モジュール１０８４において処理され得る。
【０１４５】
[0169]プロセッサ１０８０および／またはＭＴＣ情報処理モジュール１０８４において、１つまたは複数のＭＴＣ固有システム情報ブロックを受信することは、１つまたは複数のＭＴＣ固有システム情報ブロックに結合された、いくつかの他のシステム情報ブロックの各々からの一部分を受信することを含み得る。ＭＴＣ固有システム情報ブロックは、ＭＴＣ関連システム情報を含んでよく、追加のシステム情報を除外してよい。プロセッサ１０８０および／またはＭＴＣ情報処理モジュール１０８４は、複数の通常のシステム情報ブロックのうちの１つまたは複数からの１つまたは複数のフィールドを差し替えるために、１つまたは複数のＭＴＣシステム情報ブロックの一部として、１つまたは複数のＭＴＣフィールドを受信するように構成され得る。
【０１４６】
[0170]場合によっては、ＭＴＣ固有システム情報ブロックは、所定のロケーションにあり得る。所定のロケーションは、セルＩＤ、サイクリックプレフィックス長、分割デュプレックス構成の関数であり得る。プロセッサ１０８０および／またはＭＴＣ情報処理モジュール１０８４は、ＭＴＣ物理ブロードキャストチャネルを介して、１つまたは複数のＭＴＣシステム情報ブロックの１つまたは複数のロケーションに関する情報を受信するように構成され得る。
【０１４７】
[0171]いくつかの実施形態では、プロセッサ１０８０および／またはＭＴＣ情報処理モジュール１０８４は、システム情報構成またはシステム情報構成における変更を示すためのカウンタを受信するように構成され得る。カウンタは、システム情報構成または決定されたシステム情報における変更を反映するために、複数のビットを含み得る。システム情報構成またはシステム情報構成における変更は、ページングチャネルを介して受信されたカウンタを利用して、プロセッサ１０８０および／またはＭＴＣ情報処理モジュール１０８４によって決定され得る。
【０１４８】
[0172]いくつかの実施形態では、プロセッサ１０８０および／またはＭＴＣ情報処理モジュール１０８４は、ＭＴＣデバイス１１５−ｅのスリープ時間がある持続期間を超えると決定するように構成され得る。システム情報ブロックは、決定されたスリープ時間がその持続期間を超えるとき、プロセッサ１０８０および／またはＭＴＣ情報処理モジュール１０８４によって読み取られ得る。
【０１４９】
[0173]図１１Ａは、ワイヤレス通信システムにおいてマシンタイプ通信（ＭＴＣ）を容易にするための方法１１００−ａの一例を示すフローチャートである。明快のために、方法１１００−ａについて、図１、図２Ａ、図２Ｂ、図８、および／もしくは図１０の基地局１０５、ならびに／または、図３、図５、図６、および／もしくは図７のデバイス３００など、デバイスを参照しながら以下で説明する。一実装形態では、プロセッサは、以下で説明される機能を実施するためにワイヤレスデバイスの機能要素を制御するためのコードの１つまたは複数のセットを実行し得る。
【０１５０】
[0174]ブロック１１０５で、ＭＴＣ物理ブロードキャストチャネルを介して送信するために、情報が構成され得る。ブロック１１０５の動作は、図３のＭＴＣ情報構成モジュール３２０、図５のＭＴＣ物理ブロードキャストチャネルモジュール３２０−ａ、および／または、図５のＭＴＣ−ＰＢＣＨ構成モジュール３２１によって実施され得る。ＭＴＣ物理ブロードキャストチャネルを介して送信するための情報を構成することは、通常の物理ブロードキャストチャネルに対して、ＭＴＣ物理ブロードキャストチャネルのためのペイロードを低減することを含み得る。ＭＴＣ物理ブロードキャストチャネルのためのペイロードを低減することは、通常の物理ブロードキャストチャネルに対して、ダウンリンク帯域幅、システムフレーム番号、物理ハイブリッドＡＲＱインジケータチャネル（ＰＨＩＣＨ）持続時間、ＰＨＩＣＨグループ、１つもしくは複数の予約済みビット、または、サイクリック冗長検査を反映するために利用される、１つまたは複数のビットを除去することを含み得る。
【０１５１】
[0175]場合によっては、ＭＴＣ物理ブロードキャストチャネルを介して送信するための情報を構成することは、ＭＴＣ物理ブロードキャストチャネルを介して送信するためのページングインジケータを構成することを含み得る。ページングインジケータは、場合によっては、少なくとも１つのＭＴＣデバイスのためのページングがあるかどうかを示すために、１つの個別のビットを含み得る。ページングインジケータは、他の場合には、複数の異なるページンググループのためのページングがあるかどうかを示すために、複数のビットを含み得る。ブロック１１０５で、ＭＴＣ物理ブロードキャストチャネルを介して送信するための情報を構成することは、ＭＴＣ物理ブロードキャストチャネルを介して送信するためのシステム情報変更インジケータを構成することを含み得る。ＭＴＣ物理ブロードキャストチャネルを介して送信するための情報を構成することは、ＭＴＣ物理ブロードキャストチャネルを介して送信するための、少なくともＰＤＣＣＨまたはｅＰＤＣＣＨ構成インジケータを構成することを含み得る。
【０１５２】
[0176]ブロック１１１０で、情報が、ＭＴＣ物理ブロードキャストチャネルを介して送信され得る。場合によっては、情報は、複数のＭＴＣデバイスへ送信され得る。ブロック１１１０の動作は、様々な実施形態では、図３または図５の送信機３３０によって実施される。いくつかの実施形態では、ＭＴＣ物理ブロードキャストチャネルは、通常の物理ブロードキャストチャネルから分離したサブフレーム内で送信される。ＭＴＣ物理ブロードキャストチャネルは、フレームの第５のサブフレーム（ＳＦ５）内、および／または、中央の６個のＲＢ内で送信され得る。場合によっては、情報は、フレーム内で複数回送信される。
【０１５３】
[0177]方法１１００−ａのいくつかの実施形態は、ＭＴＣ物理ブロードキャストチャネルを介して、ＭＴＣシステム情報ブロックロケーションを示すことを含む。いくつかの実施形態は、ＭＴＣ物理ブロードキャストチャネルを介して、ＭＴＣシステムフレーム番号を送信することを含み、ただし、ＭＴＣシステムフレーム番号は、通常の（たとえば、レガシー）システムフレーム番号よりも長いフレーム長にマッピングする。
【０１５４】
[0178]図１１Ｂは、ワイヤレス通信システムにおいてマシンタイプ通信（ＭＴＣ）を容易にするための方法１１００−ｂの一例を示すフローチャートである。明快のために、方法１１００−ｂについて、図１、図２Ａ、図２Ｂ、図８、および／もしくは図１０の基地局１０５、ならびに／または、図３、図５、図６、および／もしくは図７のデバイス３００など、デバイスを参照しながら以下で説明する。一実装形態では、プロセッサは、以下で説明される機能を実施するためにワイヤレスデバイスの機能要素を制御するためのコードの１つまたは複数のセットを実行し得る。方法１１００−ｂは、図１１Ａの方法１１００−ａの一例であり得る。
【０１５５】
[0179]ブロック１１１５で、ＭＴＣ物理ブロードキャストチャネルのためのシステム情報のペイロードが、通常の物理ブロードキャストチャネルに対して低減され得る。ブロック１１０５の動作は、図３のＭＴＣ情報構成モジュール３２０、図５のＭＴＣ物理ブロードキャストチャネルモジュール３２０−ａ、および／または、図５のＭＴＣ−ＰＢＣＨペイロード低減モジュール３２２によって実施され得る。
【０１５６】
[0180]ブロック１１０５−ａで、低減されたペイロードが、ＭＴＣ物理ブロードキャストチャネルを介した送信のために構成され得る。ブロック１１０５の動作は、図３のＭＴＣ情報構成モジュール３２０、図５のＭＴＣ物理ブロードキャストチャネルモジュール３２０−ａ、および／または、図５のＭＴＣ−ＰＢＣＨ構成モジュール３２１によって実施され得る。
【０１５７】
[0181]ブロック１１１０−ａで、システム情報の低減されたペイロードが、複数のＭＴＣデバイスへ、ＭＴＣ物理ブロードキャストチャネルを介して送信され得る。場合によっては、ブロック１１１０−ａの動作は、図３または図５の送信機３３０によって実施される。
【０１５８】
[0182]図１２Ａは、ワイヤレス通信システムにおいてマシンタイプ通信（ＭＴＣ）を容易にするための方法１２００−ａの一例を示すフローチャートである。明快のために、方法１２００−ａについて、図１、図２Ａ、図２Ｂ、図８、および／もしくは図１０の基地局１０５、ならびに／または、図３、図５、図６、および／もしくは図７のデバイス３００など、デバイスを参照しながら以下で説明する。一実装形態では、プロセッサは、以下で説明される機能を実施するためにワイヤレスデバイスの機能要素を制御するためのコードの１つまたは複数のセットを実行し得る。
【０１５９】
[0183]ブロック１２０５で、１つまたは複数のＭＴＣ固有システム情報ブロックが構成され得る。ブロック１２０５の動作は、図３のＭＴＣ情報構成モジュール３２０、図６のＭＴＣシステム情報ブロックモジュール３２０−ｂ、および／または、図６のＭＴＣ−ＳＩＢ構成モジュール３２５によって実施され得る。１つまたは複数のＭＴＣ固有システム情報ブロックを構成することは、複数の通常のシステム情報ブロックの各々からの少なくとも一部分を、１つまたは複数のＭＴＣ固有システム情報ブロックのうちの少なくとも１つに結合することを含み得る。複数の通常のシステム情報ブロックの各々からの少なくとも一部分を、１つまたは複数のＭＴＣ固有システム情報ブロックのうちの少なくとも１つに結合（combine）することは、複数の通常のシステム情報ブロックのうちの少なくとも１つから別の部分を除去することを含み得る。
【０１６０】
[0184]方法１２００−ａのいくつかの実施形態は、複数のシステム情報ブロックのうちの１つまたは複数からの１つまたは複数の通常のフィールドを差し替えるために、１つまたは複数のＭＴＣ固有システム情報ブロックの一部として、１つまたは複数のＭＴＣフィールドを利用することを含む。場合によっては、１つまたは複数のＭＴＣシステム情報ブロックは、１つまたは複数の所定のロケーションに置かれる。１つまたは複数の所定のロケーションは、少なくともセルＩＤ、サイクリックプレフィックス長、または分割デュプレックス構成の関数であり得る。いくつかの実施形態は、１つまたは複数のＭＴＣシステム情報ブロックの１つまたは複数のロケーションに関する情報を伝達するために、ＭＴＣ物理ブロードキャストチャネルを利用することを含む。
【０１６１】
[0185]ブロック１２１０で、１つまたは複数のＭＴＣ固有システム情報ブロックが、複数のＭＴＣデバイスへ送信され得る。たとえば、ブロック１２１０の動作は、図３および図６の送信機３３０によって実施され得る。
【０１６２】
[0186]図１２Ｂは、ワイヤレス通信システムにおいてマシンタイプ通信（ＭＴＣ）を容易にするための方法１２００−ｂの一例を示すフローチャートである。明快のために、方法１２００−ｂについて、図１、図２Ａ、図２Ｂ、図８、および／もしくは図１０の基地局１０５、ならびに／または、図３、図５、図６、および／もしくは図７のデバイス３００など、デバイスを参照しながら以下で説明する。一実装形態では、プロセッサは、以下で説明される機能を実施するためにワイヤレスデバイスの機能要素を制御するためのコードの１つまたは複数のセットを実行し得る。方法１２００−ｂは、図１２Ａの方法１２００−ａの一例であり得る。
【０１６３】
[0187]ブロック１２１５で、複数のシステム情報ブロックが識別され得る。ブロック１２１５の動作は、図３のＭＴＣ情報構成モジュール３２０、図６のＭＴＣシステム情報ブロックモジュール３２０−ｂ、および／または、図６のＭＴＣ−ＳＩＢ構成モジュール３２５によって実施され得る。
【０１６４】
[0188]ブロック１２２０で、複数のシステム情報ブロックのうちの１つまたは複数の、１つまたは複数の部分が、除去され得る。ブロック１２１５の動作は、図３のＭＴＣ情報構成モジュール３２０、図６のＭＴＣシステム情報ブロックモジュール３２０−ｂ、および／または、図６のＭＴＣ−ＳＩＢ構成モジュール３２５によって実施され得る。
【０１６５】
[0189]ブロック１２０５−ａで、１つまたは複数の部分が除去された、複数のシステム情報ブロックが、１つ以上のＭＴＣ固有システム情報ブロックとして構成され得る。ブロック１２１５の動作は、図３のＭＴＣ情報構成モジュール３２０、図６のＭＴＣシステム情報ブロックモジュール３２０−ｂ、および／または、図６のＭＴＣ−ＳＩＢ構成モジュール３２５によって実施され得る。
【０１６６】
[0190]ブロック１２１０−ａで、１つまたは複数のＭＴＣ固有システム情報ブロックが、１つまたは複数のＭＴＣデバイスへ送信され得る。たとえば、ブロック１２１０の動作は、図３および図６の送信機３３０によって実施され得る。
【０１６７】
[0191]図１３は、ワイヤレス通信システムにおいてマシンタイプ通信（ＭＴＣ）を容易にするための方法１３００の一例を示すフローチャートである。明快のために、方法１３００について、図１、図２Ａ、図２Ｂ、図８、および／もしくは図１０の基地局１０５、ならびに／または、図３、図５、図６、および／もしくは図７のデバイス３００など、デバイスを参照しながら以下で説明する。一実装形態では、プロセッサは、以下で説明される機能を実施するためにワイヤレスデバイスの機能要素を制御するためのコードの１つまたは複数のセットを実行し得る。
【０１６８】
[0192]ブロック１３０５で、システム情報構成が、複数のシステム情報構成から決定され得る。ブロック１３０５の動作は、様々な実施形態では、図３のＭＴＣ情報構成モジュール３２０、図７のＭＴＣシステム情報指示モジュール３２０−ｃ、および／または、図７のＭＴＣ−ＳＩＢ決定モジュール３２７によって実施される。
【０１６９】
[0193]ブロック１３１０で、カウンタが、システム情報構成またはシステム情報構成における変更を示すために送信され得る。カウンタは、少なくとも決定されたシステム情報構成または決定されたシステム情報における変更を反映するために、複数のビットを含み得る。ブロック１３１０の動作は、図３および図７の送信機３３０によって実施され得る。様々な実施形態では、カウンタは、ページングチャネルを介して、ＰＢＣＨを介して、および／またはＭＴＣ物理ブロードキャストチャネルを介して送信され得る。
【０１７０】
[0194]図１４Ａは、ワイヤレス通信システムにおいてマシンタイプ通信（ＭＴＣ）を容易にするための方法１４００−ａの一例を示すフローチャートである。明快のために、方法１４００−ａについて、図１、図２Ａ、図２Ｂ、図８、および／もしくは図１０のＭＴＣデバイス１１５、ならびに／または、図４、図５、図６、および／もしくは図７のデバイス４００など、デバイスを参照しながら以下で説明する。一実装形態では、プロセッサは、以下で説明される機能を実施するためにワイヤレスデバイスの機能要素を制御するためのコードの１つまたは複数のセットを実行し得る。
【０１７１】
[0195]ブロック１４０５で、ＭＴＣ物理ブロードキャストチャネルを介して送信された情報が受信され得る。ブロック１４０５の動作は、図４および図５の受信機４１０によって実施され得る。場合によっては、ＭＴＣ物理ブロードキャストチャネルを介して送信された情報は、通常の物理ブロードキャストチャネルから分離したサブフレーム内で受信される。ＭＴＣ物理ブロードキャストチャネルを介して送信された情報は、フレームの第５のサブフレーム（ＳＦ５）内、および／または、サブフレームの中央の６個のＲＢ内で受信され得る。場合によっては、情報は、フレーム内で複数回受信され得る。
【０１７２】
[0196]情報は、通常の物理ブロードキャストチャネルに対して、ＭＴＣ物理ブロードキャストチャネルのための低減されたペイロードを含み得る。ＭＴＣ物理ブロードキャストチャネルのための低減されたペイロードは、通常の物理ブロードキャストチャネルに対して、ダウンリンク帯域幅、システムフレーム番号、物理ハイブリッドＡＲＱインジケータチャネル（ＰＨＩＣＨ）持続時間、ＰＨＩＣＨグループ、１つもしくは複数の予約済みビット、または、サイクリック冗長検査を反映するために利用される、低減された数の１つまたは複数のビットを含み得る。
【０１７３】
[0197]場合によっては、ＭＴＣ物理ブロードキャストチャネルを介して送信された情報を受信することは、ＭＴＣ物理ブロードキャストチャネルを介して送信するためのページングインジケータを受信することを含み得る。ページングインジケータは、場合によっては、少なくとも１つのＭＴＣデバイスのためのページングがあるかどうかを示すために、１つの個別のビットを含み得る。ページングインジケータは、複数の異なるページンググループのためのページングがあるかどうかを示すために、複数のビットを含み得る。追加または代替として、ＭＴＣ物理ブロードキャストチャネルを介して送信された情報を受信することは、ＭＴＣ物理ブロードキャストチャネルを介して送信されたシステム情報変更インジケータを受信することを含み得る。ブロック１４０５で、ＭＴＣ物理ブロードキャストチャネルを介して送信された情報を受信することは、ＭＴＣ物理ブロードキャストチャネルを介して送信された、少なくともＰＤＣＣＨまたはｅＰＤＣＣＨ構成インジケータを受信することを含み得る。
【０１７４】
[0198]ブロック１４１０で、ＭＴＣ物理ブロードキャストチャネルを介して受信された情報が処理され得る。ブロック１４１０の動作は、様々な実施形態では、図４のＭＴＣ情報行列モジュール４２０、図５のＭＴＣ物理ブロードキャストチャネル処理モジュール４２０−ａ、および／または、図５の４２１のＭＴＣ−ＰＢＣＨ情報処理モジュールによって実施される。
【０１７５】
[0199]方法１４００−ａは、ＭＴＣ物理ブロードキャストチャネルを介して、ＭＴＣシステム情報ブロックロケーションを受信することを含み得る。方法１４００−ａは、ＭＴＣ物理ブロードキャストチャネルを介して、ＭＴＣシステムフレーム番号を受信することを含み得る。ＭＴＣシステムフレーム番号は、通常のシステムフレーム番号よりも長いフレーム長にマッピングし得る。
【０１７６】
[0200]図１４Ｂは、ワイヤレス通信システムにおいてマシンタイプ通信（ＭＴＣ）を容易にするための方法１４００−ｂの一例を示すフローチャートである。明快のために、方法１４００−ｂについて、図１、図２Ａ、図２Ｂ、図８、および／もしくは図１０のＭＴＣデバイス１１５、ならびに／または、図４、図５、図６、および／もしくは図７のデバイス４００など、デバイスを参照しながら以下で説明する。一実装形態では、プロセッサは、以下で説明される機能を実施するためにワイヤレスデバイスの機能要素を制御するためのコードの１つまたは複数のセットを実行し得る。方法１４００−ｂは、図１４Ａの方法１４００−ａの一例であり得る。
【０１７７】
[0201]ブロック１４０５−ａで、ＭＴＣ固有システム情報ブロックロケーションが、ＭＴＣ物理ブロードキャストチャネルを介して受信され得る。ブロック１４０５−ａの動作は、図４および図５の受信機４１０によって実施され得る。ＭＴＣ固有システム情報ブロックは、１つまたは複数の所定のロケーションにあり得、１つまたは複数の所定のロケーションは、セルＩＤ、サイクリックプレフィックス長、および／または分割デュプレックス構成の関数であり得る。
【０１７８】
[0202]ブロック１４１０−ａで、受信されたＭＴＣ固有システム情報ブロックロケーション情報が、１つまたは複数のＭＴＣ固有システム情報ブロックのロケーションを決定するために処理され得る。ブロック１４１０−ａの動作は、様々な実施形態では、図４のＭＴＣ情報処理モジュール４２０、図５のＭＴＣ物理ブロードキャストチャネル処理モジュール４２０−ａ、および／または、図５の４２１のＭＴＣ−ＰＢＣＨ情報処理モジュールによって実施される。
【０１７９】
[0203]ブロック１４１５で、ＭＴＣ物理ブロードキャストチャネルを介して送信されたシステム情報の低減されたペイロードが、１つまたは複数のＭＴＣシステム情報ブロックの決定されたロケーションを利用して捜し出される。様々な実施形態では、ブロック１４１５の動作は、図４のＭＴＣ情報処理モジュール４２０、図６のＭＴＣシステム情報ブロックモジュール４２０−ｂ、および／または、図６のＭＴＣ−ＳＩＢロケーション決定モジュール４２６によって実施される。
【０１８０】
[0204]図１５Ａは、ワイヤレス通信システムにおいてマシンタイプ通信（ＭＴＣ）を容易にするための方法１５００−ａの一例を示すフローチャートである。明快のために、方法１５００−ａについて、図１、図２Ａ、図２Ｂ、図８、および／もしくは図１０のＭＴＣデバイス１１５、ならびに／または、図４、図５、図６、および／もしくは図７のデバイス４００など、デバイスを参照しながら以下で説明する。一実装形態では、プロセッサは、以下で説明される機能を実施するためにワイヤレスデバイスの機能要素を制御するためのコードの１つまたは複数のセットを実行し得る。
【０１８１】
[0205]ブロック１５０５で、１つまたは複数のＭＴＣシステム情報ブロックが、ＭＴＣデバイスにおいて受信され得る。ブロック１５０５の動作は、図４および図６の受信機によって実施され得る。
【０１８２】
[0206]ブロック１５１０で、１つまたは複数のＭＴＣシステム情報ブロックが、ＭＴＣデバイスにおいて処理され得る。様々な実施形態では、ブロック１５１０の動作は、図４のＭＴＣ情報処理モジュール４２０、図６のＭＴＣシステム情報ブロックモジュール４２０−ｂ、および／または、図６のＭＴＣ−ＳＩＢ情報処理モジュール４２５によって実施され得る。
【０１８３】
[0207]ＭＴＣ固有システム情報ブロックは、２つ以上の他のシステム情報ブロック中に含まれるシステム情報の組合せを含み得る。たとえば、ＭＴＣ固有システム情報ブロックは、ＳＩＢ１、ＳＩＢ２、および／またはＳＩＢ１２の態様を含み得る。追加または代替として、ＭＴＣ固有システム情報ブロックは、ＳＩＢ１、ＳＩＢ２、またはＳＩＢ１２など、１つの他のシステム情報ブロック中に含まれるシステム情報のサブセットからなり得る。
【０１８４】
[0208]いくつかの実施形態では、ＭＴＣ固有システム情報ブロックは、セルアクセス情報、他のＳＩＢのためのスケジューリング情報、および無線リソース構成情報のための、フィールドを含む。他の場合には、ＭＴＣ固有システム情報ブロックは、セルアクセス情報およびセル選択情報のためのフィールド、または、他のシステム情報ブロックのためのスケジューリング情報のためのフィールドを含む。さらに他の実施形態では、ＭＴＣ固有システム情報ブロックは、ＭＴＣ  ＲＡＣＨ構成情報またはＭＴＣページングチャネル構成情報を含む。または、ＭＴＣ固有システム情報ブロックは、ＰＵＳＣＨ構成情報、電力制御、およびタイマーのためのフィールドからなり得る。他の実施形態では、ＭＴＣ固有システム情報ブロックは、ＰＵＳＣＨ構成情報およびＳＲＳ構成情報以外の、無線リソース構成情報のためのフィールドを含む。
【０１８５】
[0209]場合によっては、１つまたは複数のＭＴＣ固有システム情報ブロックは、１つまたは複数の所定のロケーションにあり得る。１つまたは複数の所定のロケーションは、少なくともセルＩＤ、サイクリックプレフィックス長、分割デュプレックス構成の関数であり得る。方法１５００−ａのいくつかの実施形態は、ＭＴＣ物理ブロードキャストチャネルを介して、１つまたは複数のＭＴＣ固有システム情報ブロックの１つまたは複数のロケーションに関する情報を受信することを含む。
【０１８６】
[0210]図１５Ｂは、ワイヤレス通信システムにおいてマシンタイプ通信（ＭＴＣ）を容易にするための方法１５００−ｂの一例を示すフローチャートである。明快のために、方法１５００−ｂについて、図１、図２Ａ、図２Ｂ、図８、および／もしくは図１０の基地局１０５、ならびに／または、図３、図５、図６、および／もしくは図７のデバイス３００など、デバイスを参照しながら以下で説明する。一実装形態では、プロセッサは、以下で説明される機能を実施するためにワイヤレスデバイスの機能要素を制御するためのコードの１つまたは複数のセットを実行し得る。方法１２００−ｂは、図１５Ｃの方法１５００−ａの一例であり得る。
【０１８７】
[0211]ブロック１５１５で、ＭＴＣデバイスは、ＭＴＣ物理ブロードキャストチャネルを介して、１つまたは複数のＭＴＣ固有システム情報ブロックの１つまたは複数のロケーションに関する情報を受信し得る。ブロック１５１５の動作は、図４および図５の受信機４１０によって実施され得る。ＭＴＣ固有システム情報ブロックは、１つまたは複数の所定のロケーションにあり得、１つまたは複数の所定のロケーションは、セルＩＤ、サイクリックプレフィックス長、および／または分割デュプレックス構成の関数であり得る。
【０１８８】
[0212]ブロック１５０５−ａで、１つまたは複数のＭＴＣシステム情報ブロックが、ＭＴＣデバイスにおいて受信され得る。ブロック１５０５−ａの動作は、図４および図６の受信機によって実施され得る。
【０１８９】
[0213]ブロック１５１０−ａで、１つまたは複数のＭＴＣシステム情報ブロックが、ＭＴＣデバイスにおいて処理され得る。様々な実施形態では、ブロック１５１０−ａの動作は、図４のＭＴＣ情報処理モジュール４２０、図６のＭＴＣシステム情報ブロックモジュール４２０−ｂ、および／または、図６のＭＴＣ−ＳＩＢ情報処理モジュール４２５によって実施され得る。
【０１９０】
[0214]図１６は、ワイヤレス通信システムにおいてマシンタイプ通信（ＭＴＣ）を容易にするための方法１６００の一例を示すフローチャートである。明快のために、方法１６００について、図１、図２Ａ、図２Ｂ、図８、および／もしくは図１０のＭＴＣデバイス１１５、ならびに／または、図４、図５、図６、および／もしくは図７のデバイス４００など、デバイスを参照しながら以下で説明する。一実装形態では、プロセッサは、以下で説明される機能を実施するためにワイヤレスデバイスの機能要素を制御するためのコードの１つまたは複数のセットを実行し得る。
【０１９１】
[0215]ブロック１６０５で、カウンタが、システム情報構成またはシステム情報構成における変更を指示するために受信され得る。カウンタは、システム情報構成またはシステム情報構成における変更を反映するために、１つまたは複数のビットを含み得る。ブロック１６０５の動作は、図４および図７の受信機４１０によって実施され得る。カウンタは、１６個の異なるシステム情報構成にマッピングする４ビットを含み得る。様々な実施形態では、カウンタは、ページングチャネルを介して、ＰＢＣＨを介して、またはＭＴＣ物理ブロードキャストチャネルを介して受信され得る。場合によっては、カウンタは、ＭＴＣ固有ＳＩＢなどのＳＩＢにおいて受信される。
【０１９２】
[0216]ブロック１６１０で、システム情報構成またはシステム情報構成における変更が、ページングチャネルを介して受信されたカウンタを利用して決定され得る。ブロック１６１０の動作は、図４のＭＴＣ情報処理モジュール４２０、図７のＭＴＣシステム情報更新決定モジュール４２０−ｃ、および／または、図７のＭＴＣ−ＳＩＢ更新カウンタ決定モジュール４２８によって実施され得る。システム情報構成における変更を決定することは、受信されたカウンタが前のウェイクアップとは異なると決定することを含み得る。たとえば、受信されたカウンタが前のウェイクアップとは異なると決定することは、増分されたカウンタを受信することを含み得る。追加または代替として、システム情報構成またはシステム情報構成における変更を決定することは、カウンタに基づいて、変更されたシステム情報構成を決定することと、カウンタに基づいて、更新されたシステム情報を識別することとを含み得る。
【０１９３】
[0217]図１７は、ワイヤレス通信システムにおいてマシンタイプ通信（ＭＴＣ）を容易にするための方法１７００の一例を示すフローチャートである。明快のために、方法１７００について、図１、図２Ａ、図２Ｂ、図８、および／もしくは図１０のＭＴＣデバイス１１５、ならびに／または、図４、図５、図６、および／もしくは図７のデバイス４００など、デバイスを参照しながら以下で説明する。一実装形態では、プロセッサは、以下で説明される機能を実施するためにワイヤレスデバイスの機能要素を制御するためのコードの１つまたは複数のセットを実行し得る。
【０１９４】
[0218]ブロック１７０５で、ＭＴＣデバイスにおいて、ＭＴＣデバイスのスリープ時間がある持続期間を超えるかどうかが決定され得る。ブロック１７０５の動作は、様々な実施形態では、図４のＭＴＣ情報処理モジュール４２０、図７のＭＴＣシステム情報更新決定モジュール４２０−ｃ、および／または、図７のＭＴＣタイミングモジュール４２７によって実施される。
【０１９５】
[0219]ブロック１７１０で、決定されたスリープ時間がその持続期間を超えるとき、少なくともシステム情報ブロックが読み取られ得る。ブロック１７０５の動作は、様々な実施形態では、図４のＭＴＣ情報処理モジュール４２０、図７のＭＴＣシステム情報更新決定モジュール４２０−ｃ、および／または、図７のＭＴＣタイミングモジュール４２７によって実施される。
【０１９６】
[0220]いくつかの実施形態では、方法１７００は、方法１５００−ａの一例である。たとえば、ＭＴＣデバイスは、ブロック１５０５および１５１０の動作を実施する前に、ブロック１７０５および１７１０の動作を実施し得る。
【０１９７】
[0221]方法１１００、１２００、１３００、１４００、１５００、１６００、および１７００が、本明細書で説明されるツールおよび技法の例示的な実装形態であることは、当業者には理解されよう。方法は、より多いまたはより少ないステップで実施されてよく、ステップは、指示された以外の順序で実施されてよい。
【０１９８】
[0222]添付の図面に関して上記に記載された発明を実施するための形態は、例示的な実施形態について説明しており、実装され得るまたは特許請求の範囲内に入る実施形態のみを表すものではない。発明を実施するための形態は、説明された技法の理解を与えるために、具体的な詳細を含む。しかしながら、これらの技法は、これらの具体的な詳細なしに実施され得る。場合によっては、説明された実施形態の概念を不明瞭にしないように、よく知られている構造およびデバイスがブロック図の形態で示される。
【０１９９】
[0223]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２００】
[0224]本明細書の開示に関連して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０２０１】
[0225]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的ロケーションにおいて実装されるように分散されることを含めて、様々な位置において物理的にロケートされ得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０２０２】
[0226]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され得、汎用または専用コンピュータあるいは汎用または専用プロセッサによってアクセスされ得る、任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０２０３】
[0227]本開示についての以上の説明は、当業者が本開示を作成または使用することができるように提供される。本開示への様々な修正は当業者には容易に明らかであり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についてのいかなる選好をも暗示せず、または必要としない。したがって、本開示は、本明細書で説明される例および設計に限定されるべきでなく、本明細書で開示される原理および新規の特徴に合致する最も広い範囲を与えられるべきである。
以下に本願の出願当初の特許請求の範囲に記載された発明を付記する。
［Ｃ１］
ワイヤレス通信システムにおいてマシンタイプ通信（ＭＴＣ）を容易にするための方法であって、
システム情報構成または前記システム情報構成における変更を示すためのカウンタを受信することと、ここで、前記カウンタは、前記システム情報構成または前記システム情報構成における前記変更を反映するために、１つまたは複数のビットを備え、
前記受信されたカウンタを利用して、前記システム情報構成または前記システム情報構成における前記変更を決定することと、
を備える方法。
［Ｃ２］
前記システム情報構成における前記変更を決定することは、前記受信されたカウンタが前のウェイクアップとは異なると決定することを備える、Ｃ１に記載の方法。
［Ｃ３］
前記受信されたカウンタが前記前のウェイクアップとは異なると決定することは、増分されたカウンタを受信することを備える、Ｃ２に記載の方法。
［Ｃ４］
前記システム情報構成または前記システム情報構成における前記変更を決定することは、
前記カウンタに基づいて変更された前記システム情報構成を決定することと、
前記カウンタに基づいて更新されたシステム情報を識別することと、
を備える、Ｃ１に記載の方法。
［Ｃ５］
前記カウンタは、１６個の異なるシステム情報構成にマッピングする４ビットを備える、Ｃ１に記載の方法。
［Ｃ６］
前記カウンタは、ページングチャネルを介して受信される、Ｃ１に記載の方法。
［Ｃ７］
前記カウンタは、物理ブロードキャストチャネルを介して受信される、Ｃ１に記載の方法。
［Ｃ８］
前記カウンタは、ＭＴＣ物理ブロードキャストチャネルを介して受信される、Ｃ１に記載の方法。
［Ｃ９］
前記カウンタは、システム情報ブロック（ＳＩＢ）において受信される、Ｃ１に記載の方法。
［Ｃ１０］
前記ＳＩＢは、ＭＴＣ固有ＳＩＢを備える、Ｃ９に記載の方法。
［Ｃ１１］
ワイヤレス通信システムにおいてマシンタイプ通信（ＭＴＣ）を容易にするための装置であって、
システム情報構成または前記システム情報構成における変更を示すためのカウンタを受信するための手段と、ここで、前記カウンタは、前記システム情報構成または前記システム情報構成における前記変更を反映するために、１つまたは複数のビットを備え、
前記受信されたカウンタを利用して、前記システム情報構成または前記システム情報構成における前記変更を決定するための手段と、
を備える装置。
［Ｃ１２］
前記システム情報構成または前記システム情報における前記変更を決定するための前記手段は、前記受信されたカウンタが前のウェイクアップとは異なると決定するように構成される、Ｃ１１に記載の装置。
［Ｃ１３］
前記システム情報構成または前記システム情報構成における前記変更を決定するための前記手段は、前記受信されたカウンタが増分されたカウンタであると決定するように構成される、Ｃ１２に記載の装置。
［Ｃ１４］
前記システム情報構成または前記システム情報構成における前記変更を決定するための前記手段は、
前記カウンタに基づいて変更された前記システム情報構成を決定することと、
前記カウンタに基づいて更新されたシステム情報を識別することと、
を行うように構成される、Ｃ１１に記載の装置。
［Ｃ１５］
前記カウンタは、１６個の異なるシステム情報構成にマッピングする４ビットを備える、Ｃ１１に記載の装置。
［Ｃ１６］
前記カウンタを受信するための前記手段は、ページングチャネルを介して前記カウンタを受信するように構成される、Ｃ１１に記載の装置。
［Ｃ１７］
前記カウンタを受信するための前記手段は、物理ブロードキャストチャネルを介して前記カウンタを受信するように構成される、Ｃ１１に記載の装置。
［Ｃ１８］
前記カウンタを受信するための前記手段は、ＭＴＣ物理ブロードキャストチャネルを介して前記カウンタを受信するように構成される、Ｃ１１に記載の装置。
［Ｃ１９］
前記カウンタを受信するための前記手段は、システム情報ブロック（ＳＩＢ）において前記カウンタを受信するように構成される、Ｃ１１に記載の装置。
［Ｃ２０］
前記カウンタを受信するための前記手段は、ＭＴＣ固有ＳＩＢにおいて前記カウンタを受信するように構成される、Ｃ１１に記載の装置。
［Ｃ２１］
ワイヤレス通信システムにおいてマシンタイプ通信（ＭＴＣ）を容易にするための装置であって、
プロセッサと、
前記プロセッサと電子通信するメモリと、
前記メモリに記憶された命令と、を備え、前記命令は、
システム情報構成または前記システム情報構成における変更を示すためのカウンタを受信することと、ここで、前記カウンタは、前記システム情報構成または前記システム情報構成における前記変更を反映するために、１つまたは複数のビットを備え、
前記受信されたカウンタを利用して、前記システム情報構成または前記システム情報構成における前記変更を決定することと、
を行うように前記プロセッサによって実行可能である、装置。
［Ｃ２２］
前記命令は、
前記受信されたカウンタが前のウェイクアップとは異なると決定することを行うように前記プロセッサによって実行可能である、Ｃ２１に記載の装置。
［Ｃ２３］
前記命令は、
前記受信されたカウンタが増分されたカウンタであると決定することを行うように前記プロセッサによって実行可能である、Ｃ２２に記載の装置。
［Ｃ２４］
前記命令は、
前記カウンタに基づいて変更された前記システム情報構成を決定することと、
前記カウンタに基づいて更新されたシステム情報を識別することと、
を行うように前記プロセッサによって実行可能である、Ｃ２１に記載の装置。
［Ｃ２５］
前記命令は、
ページングチャネルを介して前記カウンタを受信することを行うように前記プロセッサによって実行可能である、Ｃ２１に記載の装置。
［Ｃ２６］
前記命令は、
物理ブロードキャストチャネルを介して前記カウンタを受信することを行うように前記プロセッサによって実行可能である、Ｃ２１に記載の装置。
［Ｃ２７］
前記命令は、
ＭＴＣ物理ブロードキャストチャネルを介して前記カウンタを受信することを行うように前記プロセッサによって実行可能である、Ｃ２１に記載の装置。
［Ｃ２８］
ワイヤレス通信システムにおいてマシンタイプ通信（ＭＴＣ）を容易にするためのコンピュータプログラム製品であって、
システム情報構成または前記システム情報構成における変更を示すためのカウンタを受信することと、ここで、前記カウンタは、前記システム情報構成または前記システム情報構成における前記変更を反映するために、１つまたは複数のビットを備え、
前記受信されたカウンタを利用して、前記システム情報構成または前記システム情報構成における前記変更を決定することと、
を行うようにプロセッサによって実行可能な命令を記憶する非一時的コンピュータ可読媒体を備える、コンピュータプログラム製品。
［Ｃ２９］
前記命令は、
前記受信されたカウンタが前のウェイクアップとは異なると決定することを行うように前記プロセッサによって実行可能である、Ｃ２８に記載のコンピュータプログラム製品。
［Ｃ３０］
前記命令は、
前記受信されたカウンタが増分されたカウンタであると決定することを行うように前記プロセッサによって実行可能である、Ｃ２９に記載のコンピュータプログラム製品。
【図１】
0006363100.tif 000002
【図２Ａ】
0006363100.tif 000003
【図２Ｂ】
0006363100.tif 000004
【図３】
0006363100.tif 000005
【図４】
0006363100.tif 000006
【図５】
0006363100.tif 000007
【図６】
0006363100.tif 000008
【図７】
0006363100.tif 000009
【図８】
0006363100.tif 000010
【図９】
0006363100.tif 000011
【図１０】
0006363100.tif 000012
【図１１Ａ】
0006363100.tif 000013
【図１１Ｂ】
0006363100.tif 000014
【図１２Ａ】
0006363100.tif 000015
【図１２Ｂ】
0006363100.tif 000016
【図１３】
0006363100.tif 000017
【図１４Ａ】
0006363100.tif 000018
【図１４Ｂ】
0006363100.tif 000019
【図１５Ａ】
0006363100.tif 000020
【図１５Ｂ】
0006363100.tif 000021
【図１６】
0006363100.tif 000022
【図１７】
0006363100.tif 000023